(57)【要約】  本発明の一実施形態における情報処理方法は、エアロゾルを生成するエアロゾル生成装置の使用状況を表す使用状況情報を受信するステップと、受信した前記使用状況情報に基づいて、前記エアロゾル生成装置のユーザーに報償を付与するステップと、前記エアロゾル生成装置との間で通信接続可能な端末装置に対して、前記報償に関する情報を通知するステップと、を含む。
2020183697.tif 000002
【特許請求の範囲】
【請求項１】
エアロゾルを生成するエアロゾル生成装置の使用状況を表す使用状況情報を受信するステップと、
受信した前記使用状況情報に基づいて、前記エアロゾル生成装置のユーザーに報償を付与するステップと、
前記エアロゾル生成装置との間で通信接続可能な端末装置に対して、前記報償に関する情報を通知するステップと、
を含む情報処理方法。
【請求項２】
前記使用状況情報は、前記端末装置と前記エアロゾル生成装置との間での通信接続の状況を表す接続情報を含む、
請求項１に記載の情報処理方法。
【請求項３】
前記接続情報は、前記端末装置と前記エアロゾル生成装置との間での無線通信が行われたことを表す第１の接続情報を含む、
請求項２に記載の情報処理方法。
【請求項４】
前記接続情報は、前記端末装置と前記エアロゾル生成装置との間での前記通信接続の時間の長さを表す第２の接続情報を含む、
請求項２または３に記載の情報処理方法。
【請求項５】
前記エアロゾル生成装置に含まれるバッテリーを充電可能な充電装置によって収集された前記使用状況情報を受信するステップをさらに含み、
前記使用状況情報は、前記端末装置と前記充電装置との間での通信接続の状況を表す接続情報を含み、
前記接続情報は、前記端末装置と前記充電装置との間での無線通信が行われたことを表す第１の接続情報と、前記端末装置と前記充電装置との間での前記通信接続の時間の長さを表す第２の接続情報と、を含む、
請求項１から４までのいずれか一項に記載の情報処理方法。
【請求項６】
前記使用状況情報は、前記エアロゾル生成装置に含まれるバッテリーを充電する時間の長さを表す充電情報を含む、
請求項１から５までのいずれか一項に記載の情報処理方法。
【請求項７】
前記充電情報は、前記エアロゾル生成装置に含まれるバッテリーを充電した時間の長さを表す第１の充電情報を含む、
請求項６に記載の情報処理方法。
【請求項８】
前記エアロゾル生成装置に含まれるバッテリーを充電可能な充電装置によって収集された前記使用状況情報を受信するステップをさらに含み、
前記充電情報は、前記充電装置に外部電力源を接続することにより前記充電装置を充電した時間の長さを表す第２の充電情報を含む、
請求項６または７に記載の情報処理方法。
【請求項９】
コンピューターに、
エアロゾルを生成するエアロゾル生成装置の使用状況を表す使用状況情報を受信する工程と、
受信した前記使用状況情報に基づいて、前記エアロゾル生成装置のユーザーに報償を付与する工程と、
前記エアロゾル生成装置との間で通信接続可能な端末装置に対して、前記報償に関する情報を通知する工程と、
を実行させるためのプログラム。
【請求項１０】
エアロゾルを生成するエアロゾル生成装置の使用状況を表す使用状況情報を受信する通信部と、
受信した前記使用状況情報に基づいて、前記エアロゾル生成装置のユーザーに報償を付与する制御部と、を備え、
前記通信部は、前記エアロゾル生成装置との間で通信接続可能な端末装置に対して、前記報償に関する情報を通知する情報処理装置。
【請求項１１】
エアロゾルを生成するエアロゾル生成装置から受信した当該エアロゾル生成装置の使用状況を表す使用状況情報を、情報処理装置に送信する通信部と、
前記情報処理装置によって前記エアロゾル生成装置のユーザーに付与された報償に関する情報を表示させる制御部と、を備え、
前記報償に関する情報は、前記使用状況情報に基づいて前記ユーザーに付与されるものである、
端末装置。
【請求項１２】
エアロゾルを生成するエアロゾル生成装置と、
前記エアロゾル生成装置と通信接続可能な端末装置と、
前記端末装置から前記エアロゾル生成装置の使用状況を表す使用状況情報を受信する情報処理装置と、を含み、
前記情報処理装置は、受信した前記使用状況情報に基づいて前記エアロゾル生成装置のユーザーに報償を付与し、付与した前記報償に関する情報を前記端末装置に対して通知する、管理システム。
【発明の詳細な説明】
【技術分野】
【０００１】
本発明は、情報管理方法、プログラム、情報処理装置、端末装置および管理システムに関する。
【背景技術】
【０００２】
従来技術として、エアロゾル生成装置等に関連して報償を付与する技術が存在する。【０００３】
例えば特許文献１の段落００８８には、「アプリにより、消費者エンドデバイス６１に関連付けられたアバターが、他の消費者エンドデバイス６２に関連付けられたアバターと競うことができることが記載されている。このようなアバター間の競技により、アバターは、新たな仮想的能力を獲得したり成長させたりすることが可能となる。そのような新たな仮想的能力は、将来の別の消費者エンドデバイスのアバターとの競技に使用され得る。このような仮想的な競技で成功することにより、アプリ内の報償や成果バッヂを獲得できる。」といった記載がある。【０００４】
また、例えば特許文献１の段落０１１３には、「エンドデデバイスの使用によって引き起こされるアバターのプロファイルの改善やボーナス（および負の等価物）に加えて、アバターのプロファイルは、時間経過に伴うアバター間競技の勝敗結果として修正されてもよい。勝利の結果によりポイントが報償として与えられてもよい。そのポイントは、アバターの競技能力や、その他のカスタマイゼーションに交換することができる。そういったカスタマイゼーションとは、関連アプリによるスマートフォンのスクリーンへの表示の際の、アバターの見た目の更新といったものである。」といった記載がある。
【先行技術文献】
【特許文献】
【０００５】
【特許文献１】国際公開第２０１７／０５１１７４号
【発明の概要】
【発明が解決しようとする課題】
【０００６】
しかしながら、特許文献１に記載された報償等は、エアロゾル生成装置自体の使用に基づくものではない。特許文献１では、エアロゾル生成装置の使用状況に基づいて報償することについては開示されていない。【０００７】
本発明の目的は、エアロゾル生成装置等の使用に基づいた報償の付与ができる情情報管理方法、プログラム、情報処理装置、端末装置および管理システムを提供することを目的とする。
【課題を解決するための手段】
【０００８】
本発明の一実施形態における情報処理方法は、エアロゾルを生成するエアロゾル生成装置の使用状況を表す使用状況情報を受信するステップと、受信した前記使用状況情報に基づいて、前記エアロゾル生成装置のユーザーに報償を付与するステップと、前記エアロゾル生成装置との間で通信接続可能な端末装置に対して、前記報償に関する情報を通知するステップと、を含む【０００９】
本発明の一実施形態における情報処理方法において、前記使用状況情報は、前記端末装置と前記エアロゾル生成装置との間での通信接続の状況を表す接続情報を含んでいてもよい。【００１０】
本発明の一実施形態における情報処理方法において、前記接続情報は、前記端末装置と前記エアロゾル生成装置との間での無線通信が行われたことを表す第１の接続情報を含んでいてもよい。【００１１】
本発明の一実施形態における情報処理方法において、前記接続情報は、前記端末装置と前記エアロゾル生成装置との間での前記通信接続の時間の長さを表す第２の接続情報を含んでいてもよい。【００１２】
本発明の一実施形態における情報処理方法において、前記エアロゾル生成装置に含まれるバッテリーを充電可能な充電装置によって収集された前記使用状況情報を受信するステップをさらに含み、前記使用状況情報は、前記端末装置と前記充電装置との間での通信接続の状況を表す接続情報を含み、前記接続情報は、前記端末装置と前記充電装置との間での無線通信が行われたことを表す第１の接続情報と、前記端末装置と前記充電装置との間での前記通信接続の時間の長さを表す第２の接続情報と、を含んでいてもよい。【００１３】
本発明の一実施形態における情報処理方法において、前記使用状況情報は、前記エアロゾル生成装置に含まれるバッテリーを充電する時間の長さを表す充電情報を含んでいてもよい。【００１４】
本発明の一実施形態における情報処理方法において、前記充電情報は、前記エアロゾル生成装置に含まれるバッテリーを充電した時間の長さを表す第１の充電情報を含んでいてもよい。【００１５】
本発明の一実施形態における情報処理方法において、前記エアロゾル生成装置に含まれるバッテリーを充電可能な充電装置によって収集された前記使用状況情報を受信するステップをさらに含み、前記充電情報は、前記充電装置に外部電力源を接続することにより前記充電装置を充電した時間の長さを表す第２の充電情報を含んでいてもよい。【００１６】
本発明の一実施形態におけるプログラムは、コンピューターに、エアロゾルを生成するエアロゾル生成装置の使用状況を表す使用状況情報を受信する工程と、受信した前記使用状況情報に基づいて、前記エアロゾル生成装置のユーザーに報償を付与する工程と、前記エアロゾル生成装置との間で通信接続可能な端末装置に対して、前記報償に関する情報を通知する工程と、を実行させる。【００１７】
本発明の一実施形態における情報処理装置は、エアロゾルを生成するエアロゾル生成装置の使用状況を表す使用状況情報を受信する通信部と、受信した前記使用状況情報に基づいて、前記エアロゾル生成装置のユーザーに報償を付与する制御部と、を備え、前記通信部は、前記エアロゾル生成装置との間で通信接続可能な端末装置に対して、前記報償に関する情報を通知する。【００１８】
本発明の一実施形態における端末装置は、エアロゾルを生成するエアロゾル生成装置から受信した当該エアロゾル生成装置の使用状況を表す使用状況情報を、情報処理装置に送信する通信部と、前記情報処理装置によって前記エアロゾル生成装置のユーザーに付与された報償に関する情報を表示させる制御部と、を備え、前記報償に関する情報は、前記使用状況情報に基づいて前記ユーザーに付与されるものである。【００１９】
本発明の一実施形態における管理システムは、エアロゾルを生成するエアロゾル生成装置と、前記エアロゾル生成装置と通信接続可能な端末装置と、前記端末装置から前記エアロゾル生成装置の使用状況を表す使用状況情報を受信する情報処理装置と、を含み、前記情報処理装置は、受信した前記使用状況情報に基づいて前記エアロゾル生成装置のユーザーに報償を付与し、付与した前記報償に関する情報を前記端末装置に対して通知する。
【発明の効果】
【００２０】
本発明の情報管理方法等によれば、エアロゾル生成装置等の使用に基づいた報償の付与が可能となる。
【図面の簡単な説明】
【００２１】
【図１】管理システムの概略構成を示すブロック図である（第１実施形態）。
【図２】エアロゾル生成装置の概略構成を示すブロック図である（第１実施形態）。
【図３】エアロゾル生成装置の他の概略構成を示すブロック図である（第１実施形態）。
【図４】エアロゾル生成装置の他の概略構成を示すブロック図である（第１実施形態）。
【図５】エアロゾル生成装置の他の概略構成を示すブロック図である（第１実施形態）。
【図６】エアロゾル生成装置の他の概略構成を示すブロック図である（第１実施形態）。
【図７】エアロゾル生成装置の他の概略構成を示すブロック図である（第１実施形態）。
【図８】エアロゾル生成装置の概略機能構成を示すブロック図である（第１実施形態）。
【図９】充電装置の概略機能構成を示すブロック図である（第１実施形態）。
【図１０】端末装置の概略機能構成を示すブロック図である（第１実施形態）。
【図１１】管理サーバー装置の概略機能構成を示すブロック図である（第１実施形態）。
【図１２】ＳＮＳ通信サーバー装置の概略機能構成を示すブロック図である（第１実施形態）。
【図１３】管理データ記憶部の概略機能構成を示すブロック図である（第１実施形態）。
【図１４】管理システム内での装置の動作および情報のやり取りの手順の一例を示すシーケンスチャート（端末装置が接続情報を送信する場合）である（第１実施形態）。
【図１５】管理システム内での装置の動作および情報のやり取りの手順の一例を示すシーケンスチャート（端末装置が充電情報を送信する場合）である（第１実施形態）。
【図１６】管理システム内での装置の動作および情報のやり取りの手順の一例を示すシーケンスチャート（充電装置やエアロゾル生成装置等が接続情報を送信する場合）である（第１実施形態）。
【図１７】管理システム内での装置の動作および情報のやり取りの手順の一例を示すシーケンスチャート（充電装置やエアロゾル生成装置等が充電情報を送信する場合）である（第１実施形態）。
【図１８】管理システムの概略構成を示すブロック図である（第２実施形態）。
【図１９】バッテリー装置の概略機能構成を示すブロック図である（第２実施形態）。
【図２０】バッテリー装置の他の概略機能構成を示すブロック図である（第２実施形態）。
【発明を実施するための形態】
【００２２】
次に複数の実施形態およびそれらの変形例を説明する。
【００２３】
［第１実施形態］
図１は、本実施形態による管理システムの概略構成を示すブロック図である。図示するように、管理システム９１は、例えば、エアロゾル生成装置（香味吸引具）２と、充電装置３と、端末装置４と、通信中継装置５と、管理サーバー装置６と、ＳＮＳ通信サーバー装置７とを含んで構成される。図１では、各装置を１台ずつ記載しているが、各装置の台数は任意である。管理システム９１において、エアロゾル生成装置２、充電装置３、端末装置４、通信中継装置５、管理サーバー装置６、ＳＮＳ通信サーバー装置７のそれぞれが複数台含まれていてもよい。また、図１において、各装置は必須の構成ではなく、管理システム９１に含まれていなくてもよい。
【００２４】
なお、図１に示す各装置は、互いにネットワーク（図示しない）を介して接続可能である。ネットワークは、例えば、ネットワークは、例えば、有線ネットワークや無線ネットワークであってもよい。ネットワークは、例えば、Ｗｉ−Ｆｉ（登録商標）、アドホック・ネットワーク（ａｄ  ｈｏｃ  ｎｅｔｗｏｒｋ）、イントラネット、エクストラネット、仮想プライベート・ネットワーク（ｖｉｒｔｕａｌ  ｐｒｉｖａｔｅ  ｎｅｔｗｏｒｋ：ＶＰＮ）、ローカル・エリア・ネットワーク（ｌｏｃａｌ ａｒｅａ ｎｅｔｗｏｒｋ：ＬＡＮ）、ワイヤレスＬＡＮ（ｗｉｒｅｌｅｓｓ  ＬＡＮ：ＷＬＡＮ）、広域ネットワーク（ｗｉｄｅ ａｒｅａ ｎｅｔｗｏｒｋ：ＷＡＮ）、ワイヤレスＷＡＮ（ｗｉｒｅｌｅｓｓ  ＷＡＮ：ＷＷＡＮ）、大都市圏ネットワーク（ｍｅｔｒｏｐｏｌｉｔａｎ ａｒｅａ ｎｅｔｗｏｒｋ：ＭＡＮ）、インターネットの一部、公衆交換電話網（Ｐｕｂｌｉｃ Ｓｗｉｔｃｈｅｄ Ｔｅｌｅｐｈｏｎｅ Ｎｅｔｗｏｒｋ：ＰＳＴＮ）、ＩＳＤＮｓ（ｉｎｔｅｇｒａｔｅｄ ｓｅｒｖｉｃｅ  ｄｉｇｉｔａｌ  ｎｅｔｗｏｒｋｓ）、ＬＴＥ（ｌｏｎｇ  ｔｅｒｍ  ｅｖｏｌｕｔｉｏｎ）、ＣＤＭＡ（ｃｏｄｅ ｄｉｖｉｓｉｏｎ ｍｕｌｔｉｐｌｅ ａｃｃｅｓｓ）、ブルートゥース（登録商標）（Ｂｌｕｅｔｏｏｔｈ）、ＢＬＥ（Ｂｌｕｅｔｏｏｔｈ  Ｌｏｗ  Ｅｎｅｒｇｙ）、ＬＰＷＡＮ（Ｌｏｗ  Ｐｏｗｅｒ  Ｗｉｄｅ  Ａｒｅａ  Ｎｅｔｗｏｒｋ）であってもよい。また、ネットワークは、衛星通信であってもよい。また、ネットワークは、例えば、ＵＳＢ（Ｕｎｉｖｅｒｓａｌ  Ｓｅｒｉａｌ  Ｂｕｓ）、Ｍｉｎｉ  ＵＳＢ、Ｍｉｃｒｏ  ＵＳＢ、Ｌｉｇｈｔｎｉｎｇなどの有線通信であってもよい。また、ネットワークは、これらの組合せを含んでいてもよい。ただし、ネットワークは、これらに限定されない。
【００２５】
エアロゾル生成装置（香味吸引具、香味吸引器）２は、電力を用いてリキッド（エアロゾル源）を霧化し、エアロゾルを生成する装置である。エアロゾルは、エアロゾル源を霧化したものであり、気体中を浮遊する程度に微小な粒子である。エアロゾル生成装置２が発生させるエアロゾルは香味を伴うものであってよい。エアロゾル生成装置２の例としては、加熱式たばこ（Ｔ−ｖａｐｏｒやＩｎｆｕｓｅｄ）および電子たばこ（Ｅ−ｖａｐｏｒ）などが挙げられる。また、エアロゾル生成装置２は、たばこを直接加熱する（直接加熱）タイプや、たばこを間接的に加熱する（間接加熱）タイプ、液体（リキッド）を加熱するタイプを含む。また、エアロゾル生成装置２は、櫛形電極対を有する圧電素子基板を用いてＳＡＷ（Ｓｕｒｆａｃｅ  Ａｃｏｕｓｔｉｃ  Ｗａｖｅ）を発生させることによって液体を霧化するものであってもよい。このように、エアロゾル生成装置２は、燃焼型のデバイスや非燃焼型のデバイス、加熱型のデバイス、非加熱型のデバイスなど、各種のデバイスを含む。
【００２６】
また、エアロゾル生成装置２が櫛形電極対を有する圧電素子基板を用いてＳＡＷを発生させることによって液体を霧化するものである場合、エアロゾル生成装置２は、例えば、霧化ユニットとして、櫛形電極対を有する圧電素子基板と、液体のエアロゾル源を当該圧電素子基板に供給するように構成された液供給部とを備える。圧電素子基板は、櫛形電極対に高周波で電圧を印加することによって生じる表面弾性波によってエアロゾル源を霧化するように構成されていてもよい。また、圧電素子基板は、表面弾性波によって霧化される所望のエアロゾルに基づいて定められる数の櫛形電極対を有する。なお、櫛形電極対の数は、所望のエアロゾルに基づいて定められる。そのため、櫛形電極対に供給可能な電力が限られる霧化ユニットにおいて、エアロゾル源の霧化効率の向上によって適切な霧化ユニットを提供することができる。
【００２７】
なお、これらはあくまでも一例であって、エアロゾル生成装置２はエアロゾルを発生させる装置であれば、どのような装置であってもよい。
【００２８】
エアロゾル生成装置２は、典型的には筒状の形状を有する。エアロゾル生成装置２は、「香味吸引器」や「香味吸引具」とも呼ばれる。エアロゾル生成装置２は、例えば近距離無線通信（無線ＬＡＮ（ローカルエリアネットワーク）等）を用いて、端末装置４と通信を行うことができる。また、エアロゾル生成装置２は、通信中継装置５やインターネット等を介して、管理サーバー装置６やＳＮＳ通信サーバー装置７と通信することもできる。なお、エアロゾル生成装置２が有する、制御機能、通信機能、情報記憶機能については後で詳述する。
【００２９】
充電装置３は、エアロゾル生成装置２が用いるバッテリー２４を充電するための装置である。充電装置３は、例えば近距離無線通信を用いて、端末装置４と通信を行うことができる。また、充電装置３は、通信中継装置５やインターネット等を介して、管理サーバー装置６やＳＮＳ通信サーバー装置７と通信することもできる。充電装置３が有する制御機能、通信機能、情報記憶機能については後で詳述する。
【００３０】
端末装置４は、ユーザーが使用する情報処理機器である。端末装置４は、具体的には、ＰＣ（パーソナルコンピューター）、タブレット端末装置、スマートフォン（スマホ）、腕時計型端末装置、眼鏡型端末装置、あるいはその他の情報処理機器として実現される。また、端末装置４は、スマートスピーカー（ＡＩスピーカー；「ＡＩ」は「人工知能」の略）であってもよい。また、端末装置４は、ウェアラブル端末（時計型デバイスやメガネ型デバイスなど）、ヘッドマウントディスプレイ（ＨＭＤ：Ｈｅａｄ  Ｍｏｕｎｔｅｄ  Ｄｉｓｐｌａｙ）等であってもよい。ただし、端末装置４は、これらの例に限定されない。端末装置４は、エアロゾル生成装置２や、充電装置３などと通信することができるように構成される。また、端末装置４は、通信中継装置５やインターネット等を介して、管理サーバー装置６やＳＮＳ通信サーバー装置７と通信することもできる。端末装置４は、通信手段として、無線通信又は有線通信を用いることができる。
【００３１】
通信中継装置５は、エアロゾル生成装置２や、充電装置３や、端末装置４等がインターネットにアクセスできるようにするための中継装置である。通信中継装置５は、具体的には、携帯電話の基地局や、無線ルーター等である。
【００３２】
管理サーバー装置６は、管理システム９１において必要な情報を管理する装置である。管理サーバー装置６は、インターネット等を介してエアロゾル生成装置２や、充電装置３や、端末装置４バッテリー２４等と相互に通信を行うことができる。管理サーバー装置６は、エアロゾル生成装置２や、充電装置３は、あるいは端末装置４から、エアロゾル生成装置２や、充電装置３の使用状況に関する情報を受け取る。使用状況は、例えば、他の装置との接続状況や、各装置に含まれるバッテリーの充電状況等である。また、管理サーバー装置６は、受け取った当該情報に応じて、それらの装置のユーザーのアカウントに報償を付与する。報償は、ポイント、マイレージ、スタンプ等とも呼ばれる。管理サーバー装置６の機能の詳細については、後で複数の図面を参照しながら説明する。
【００３３】
ＳＮＳ通信サーバー装置７は、ユーザーのアカウント間でメッセージの交換を行うための機能を有する。ＳＮＳは、「ソーシャルネットワーキングサービス」の略である。ＳＮＳ通信サーバー装置７は、あるユーザーから他のユーザーへの、テキストのメッセージ、あるいは静止画や音声や動画等を含んだメッセージを仲介する。即ち、ＳＮＳ通信サーバー装置７は、あるユーザーからのメッセージを受信し、そのメッセージを他のユーザーに送信する。また、ＳＮＳ通信サーバー装置７は、複数のユーザーで構成されるグループの内部で共有されるメッセージを仲介してもよい。管理システム９１において、管理サーバー装置６自身、あるいは管理サーバー装置６を運営する主体もまた、ＳＮＳ通信サーバー装置７の１ユーザーであり得る。ＳＮＳ通信サーバー装置７は、上記のサービスを実現するために、インターネット等を介して、エアロゾル生成装置２や、充電装置３や、端末装置４や、管理サーバー装置６との間で通信を行うことができる。
【００３４】
図２は、本実施形態によるエアロゾル生成装置の概略構成を示すブロック図である。
【００３５】
図２に示されるエアロゾル生成装置２Ａは、エアロゾル生成装置２の一構成例である。エアロゾル生成装置２Ａは、第１の部材１０２及び第２の部材１０４を備える。図示されるように、一例として、第１の部材１０２は、制御部１０６、通信部１０８、バッテリー１１０、センサ１１２及びメモリー１１４を含んでもよい。一例として、第２の部材１０４は、リザーバ１１６、霧化部１１８、空気取込流路１２０、エアロゾル流路１２１及び吸口部１２２を含んでもよい。第１の部材１０２内に含まれるコンポーネントの一部が第２の部材１０４内に含まれてもよい。第２の部材１０４内に含まれるコンポーネントの一部が第１の部材１０２内に含まれてもよい。第２の部材１０４は、第１の部材１０２に対して着脱可能に構成されてもよい。あるいは、第１の部材１０２及び第２の部材１０４内に含まれるすべてのコンポーネントが、第１の部材１０２及び第２の部材１０４に代えて、同一の筐体内に含まれてもよい。
【００３６】
リザーバ１１６は、エアロゾル源を保持する。例えば、リザーバ１１６は、繊維状又は多孔質性の素材から構成され、繊維間の隙間や多孔質材料の細孔に液体としてのエアロゾル源を保持する。前述した繊維状又は多孔質性の素材には、例えばコットンやガラス繊維、またはたばこ原料などを用いることができる。リザーバ１１６は、液体を収容するタンクとして構成されてもよい。エアロゾル源は、例えば、グリセリンやプロピレングリコールといった多価アルコール、水などの液体である。エアロゾル生成装置２がネブライザー等の医療用吸入器である場合、エアロゾル源はまた、患者が吸入するための薬剤を含んでもよい。別の例として、エアロゾル源は、加熱することによって香喫味成分を放出するたばこ原料やたばこ原料由来の抽出物を含んでいてもよい。リザーバ１１６は、消費されたエアロゾル源を補充することができる構成を有してもよい。あるいは、リザーバ１１６は、エアロゾル源が消費された際にリザーバ１１６自体を交換することができるように構成されてもよい。また、エアロゾル源は液体に限られるものではなく、固体でも良い。エアロゾル源が固体の場合のリザーバ１１６は、例えば繊維状又は多孔質性の素材を用いない空洞の容器であっても良い。
【００３７】
霧化部１１８は、エアロゾル源を霧化してエアロゾルを生成するように構成される。センサ１１２によって吸引動作が検知されると、霧化部１１８はエアロゾルを生成する。例えば、ウィック（図示せず）が、リザーバ１１６と霧化部１１８とを連結するように設けられてもよい。この場合、ウィックの一部はリザーバ１１６の内部に通じ、エアロゾル源と接触する。ウィックの他の一部は霧化部１１８へ延びる。エアロゾル源は、ウィックの毛細管効果によってリザーバ１１６から霧化部１１８へと運ばれる。一例として、霧化部１１８は、バッテリー１１０に電気的に接続されたヒータを備える。ヒータは、ウィックと接触又は近接するように配置される。吸引動作が検知されると、制御部１０６は、霧化部１１８のヒータを制御し、ウィックを通じて運ばれたエアロゾル源を加熱することによって当該エアロゾル源を霧化する。霧化部１１８の別の例は、エアロゾル源を超音波振動によって霧化する超音波式霧化器であってもよい。霧化部１１８には空気取込流路１２０が接続され、空気取込流路１２０はエアロゾル生成装置２の外部へ通じている。霧化部１１８において生成されたエアロゾルは、空気取込流路１２０を介して取り込まれた空気と混合される。エアロゾルと空気の混合流体は、矢印１２４で示されるように、エアロゾル流路１２１へと送り出される。エアロゾル流路１２１は、霧化部１１８において生成されたエアロゾルと空気との混合流体を吸口部１２２まで輸送するための管状構造を有する。
【００３８】
吸口部１２２は、エアロゾル流路１２１の終端に位置し、エアロゾル流路１２１をエアロゾル生成装置２の外部に対して開放するように構成される。ユーザーは、吸口部１２２を咥えて吸引することにより、エアロゾルを含んだ空気を口腔内へ取り込む。
【００３９】
通信部１０８は、ＬＥＤなどの発光素子、ディスプレイ、スピーカー、バイブレータなどを含んでもよい。通信部１０８は、必要に応じて、発光、表示、発声、振動などによって、ユーザーに対して何らかの通知を行うように構成される。
【００４０】
バッテリー１１０は、通信部１０８、センサ１１２、メモリー１１４、霧化部１１８などのエアロゾル生成装置２の各コンポーネントに電力を供給する。バッテリー１１０は、エアロゾル生成装置２の所定のポート（図示せず）を介して外部電源に接続することにより充電することができてもよい。バッテリー１１０のみを第１の部材１０２又はエアロゾル生成装置２から取り外すことができてもよく、新しいバッテリー１１０と交換することができてもよい。また、第１の部材１０２全体を新しい第１の部材１０２と交換することによってバッテリー１１０を新しいバッテリー１１０と交換することができてもよい。
【００４１】
センサ１１２は、空気取込流路１２０及び／又はエアロゾル流路１２１内の圧力の変動を検知する圧力センサ又は流量を検知する流量センサを含んでもよい。センサ１１２はまた、リザーバ１１６等のコンポーネントの重量を検知する重量センサを含んでもよい。センサ１１２はまた、エアロゾル生成装置２を用いたユーザーによるパフの回数を計数するように構成されてもよい。センサ１１２はまた、霧化部１１８への通電時間を積算するように構成されてもよい。センサ１１２はまた、リザーバ１１６内の液面の高さを検知するように構成されてもよい。センサ１１２はまた、バッテリー１１０のＳＯＣ（Ｓｔａｔｅ  ｏｆ  Ｃｈａｒｇｅ、充電状態）、電流積算値、電圧などを検知するように構成されてもよい。電流積算値は、電流積算法やＳＯＣ−ＯＣＶ（Ｏｐｅｎ  Ｃｉｒｃｕｉｔ  Ｖｏｌｔａｇｅ、開回路電圧）法等によって求められてもよい。センサ１１２はまた、ユーザーが操作可能な操作ボタンなどであってもよい。
【００４２】
制御部１０６は、マイクロプロセッサ又はマイクロコンピュータとして構成された電子回路モジュールであってもよい。制御部１０６は、メモリー１１４に格納されたコンピューター実行可能命令に従ってエアロゾル生成装置２の動作を制御するように構成されてもよい。メモリー１１４は、ＲＯＭ、ＲＡＭ、フラッシュメモリーなどの記憶媒体である。メモリー１１４には、上記のようなコンピューター実行可能命令のほか、エアロゾル生成装置２の制御に必要な設定データ等が格納されてもよい。例えば、メモリー１１４は、通信部１０８の制御方法（発光、発声、振動等の態様等）、センサ１１２により検知された値、霧化部１１８の加熱履歴等の様々なデータを格納してもよい。制御部１０６は、必要に応じてメモリー１１４からデータを読み出してエアロゾル生成装置２の制御に利用し、必要に応じてデータをメモリー１１４に格納する。
【００４３】
図３は、本実施形態によるエアロゾル生成装置の概略構成を示すブロック図である。
【００４４】
図示されるエアロゾル生成装置２Ｂは、エアロゾル生成装置２の一構成例である。エアロゾル生成装置２Ｂは、図２のエアロゾル生成装置２Ａが備える構成に加えて、第３の部材１２６を備える。第３の部材１２６は、香味源１２８を含んでもよい。一例として、エアロゾル生成装置２Ｂが電子たばこである場合、香味源１２８は、たばこに含まれる香喫味成分を含んでもよい。図示されるように、エアロゾル流路１２１は、第２の部材１０４及び第３の部材１２６にわたって延在する。吸口部１２２は、第３の部材１２６に備えられる。
【００４５】
香味源１２８は、エアロゾルに香味を付与するためのコンポーネントである。香味源１２８は、エアロゾル流路１２１の途中に配置される。霧化部１１８によって生成されたエアロゾルと空気との混合流体（以下、混合流体を単にエアロゾルと呼称する場合もあることに留意されたい）は、エアロゾル流路１２１を通って吸口部１２２まで流れる。このように、香味源１２８は、エアロゾルの流れに関して霧化部１１８よりも下流に設けられている。換言すれば、霧化部１１８よりも香味源１２８の方が、エアロゾル流路１２１の中で吸口部１２２に近い側に位置する。したがって、霧化部１１８によって生成されたエアロゾルは、香味源１２８を通過してから吸口部１２２へ達する。エアロゾルが香味源１２８を通過する際、香味源１２８に含まれる香喫味成分がエアロゾルに付与される。一例として、エアロゾル生成装置２Ｂが電子たばこである場合、香味源１２８は、刻みたばこ、又はたばこ原料を粒状、シート状もしくは粉末状に成形した加工物などの、たばこ由来のものであってもよい。香味源１２８はまた、たばこ以外の植物（例えばミントやハーブ等）から作られた非たばこ由来のものであってもよい。一例として、香味源１２８は、ニコチン成分を含む。香味源１２８は、メントールなどの香料成分を含有してもよい。香味源１２８に加えて、リザーバ１１６も香喫味成分を含んだ物質を有してもよい。例えば、エアロゾル生成装置２Ｂは、香味源１２８にたばこ由来の香味物質を保持し、リザーバ１１６には非たばこ由来の香味物質を含むように構成されてもよい。
【００４６】
ユーザーは、吸口部１２２を咥えて吸引することにより、香味が付与されたエアロゾルを含んだ空気を口腔内へ取り込むことができる。
【００４７】
制御部１０６は、本開示の実施形態に係るエアロゾル生成装置２Ａ及び２Ｂ（以下、まとめて「エアロゾル生成装置２」と呼ぶことがある）を様々な方法で制御するように構成される。
【００４８】
図４は、本実施形態に係る他のエアロゾル生成装置の全体斜視図である。図５は、本実施形態に係る、エアロゾル生成基材を保持した状態の他のエアロゾル生成装置の全体斜視図である。本実施形態において、エアロゾル生成装置２は、例えば、エアロゾル源及び香味源を含む充填物などの香味発生基材を有する、喫煙物品などのエアロゾル生成基材を加熱することによって、香味を含むエアロゾルを生成するように構成される。なお、喫煙物品２１１０がエアロゾル生成基材として用いられてもよい。
【００４９】
当業者に理解されるように、喫煙物品２１１０はエアロゾル生成基材の一例にすぎない。エアロゾル生成基材に含まれるエアロゾル源は固体であってもよいし、液体であってもよい。エアロゾル源は、例えば、グリセリン、プロピレングリコールといった多価アルコールや、水などの液体であってもよい。エアロゾル源は、加熱することによって香喫味成分を放出するたばこ原料やたばこ原料由来の抽出物を含んでいてもよい。エアロゾル生成装置２がネブライザーなどの医療用吸入器である場合、エアロゾル源は、患者が吸入するための薬剤を含んでもよい。用途によっては、エアロゾル生成基材は香味源を含まなくてもよい。
【００５０】
図４及び図５に示すように、エアロゾル生成装置２は、トップハウジング２１１Ａと、ボトムハウジング２１１Ｂと、カバー２１２と、スイッチ２１３と、蓋部２１４とを有する。トップハウジング２１１Ａ及びボトムハウジング２１１Ｂは、互いに接続されることで、エアロゾル生成装置２の最外のハウジング２１１を構成する。ハウジング２１１は、使用者の手に収まるようなサイズであってもよい。この場合、使用者がエアロゾル生成装置２を使用するときに、使用者はエアロゾル生成装置２を手で保持して、エアロゾルを吸引することができる。
【００５１】
トップハウジング２１１Ａは、開口（図示せず）を有し、カバー２１２は当該開口を閉じるようにトップハウジング２１１Ａに結合される。図５に示すように、カバー２１２は、喫煙物品２１１０を挿入可能な開口２１２ａを有する。蓋部２１４は、カバー２１２の開口２１２ａを開閉するように構成される。具体的には、蓋部２１４は、カバー２１２に取り付けられ、開口２１２ａを閉じる第１位置と開口２１２ａを開放する第２位置との間を、カバー２１２の表面に沿って移動可能に構成される。
【００５２】
スイッチ２１３は、エアロゾル生成装置２の作動のオンとオフを切り替えるために使用される。例えば、使用者は、図５に示すように喫煙物品２１１０を開口２１２ａに挿入した状態でスイッチ２１３を操作することにより、バッテリ（図示せず）から加熱部（図示せず）に電力を供給し、喫煙物品２１１０を燃焼させずに加熱することができる。喫煙物品２１１０が加熱されると、喫煙物品２１１０に含まれるエアロゾル源からエアロゾルが発生し、香味源の香味が当該エアロゾルに取り込まれる。使用者は、エアロゾル生成装置２から突出した喫煙物品２１１０の部分（図５において図示された部分）を吸引することにより、香味を含むエアロゾルを吸引することができる。なお、本明細書において、喫煙物品２１１０などのエアロゾル生成基材が開口２１２ａに挿入される方向を、エアロゾル生成装置２の長手方向と呼ぶ。
【００５３】
図４及び図５に示されるエアロゾル生成装置２の構成は、本開示に係るエアロゾル生成装置の構成の一例にすぎない。本開示に係るエアロゾル生成装置は、エアロゾル源を含むエアロゾル生成基材を加熱することによってエアロゾルを生成することができ、生成されたエアロゾル源を使用者が吸引することができるような、様々な形態で構成することができる。
【００５４】
次に、本実施形態に係るエアロゾル生成装置２に使用されるエアロゾル生成基材の一例として、喫煙物品２１１０の構成について説明する。図６は、喫煙物品２１１０の断面図である。図６に示す実施形態において、喫煙物品２１１０は、充填物２１１１（香味発生基材の一例に相当する）と、充填物２１１１を巻装する第１の巻紙２１１２とを含む基材部２１１０Ａと、基材部２１１０Ａとは反対側の端部を形成する吸口部２１１０Ｂとを有する。基材部２１１０Ａと吸口部２１１０Ｂは、第１の巻紙２１１２とは異なる第２の巻紙２１１３によって連結されている。ただし、第２の巻紙２１１３を省略し、第１の巻紙２１１２を用いて基材部２１１０Ａと吸口部２１１０Ｂを連結することもできる。
【００５５】
図６中の吸口部２１１０Ｂは、紙管部２１１４と、フィルタ部２１１５と、紙管部２１１４とフィルタ部２１１５との間に配置された中空セグメント部２１１６とを有する。中空セグメント部２１１６は、例えば、１つ又は複数の中空チャネルを有する充填層と、充填層を覆うプラグラッパーとを含む。充填層における繊維の充填密度が高いので、吸引時、空気やエアロゾルは中空チャネルのみを流れることになり、充填層内をほとんど流れない。喫煙物品２１１０において、フィルタ部２１１５でのエアロゾル成分の濾過によるエアロゾルのデリバリ量の減少を少なくしたいときに、フィルタ部２１１５の長さを短くして中空セグメント部２１１６で置き換えることは、エアロゾルのデリバリ量を増大させるために有効である。
【００５６】
図６の実施形態において、吸口部２１１０Ｂは３つのセグメントから構成されている。しかし、別の実施形態において、吸口部２１１０Ｂは１つ又は２つのセグメントから構成されてもよいし、４つ又はそれ以上のセグメントから構成されてもよい。例えば、中空セグメント部２１１６を省略し、紙管部２１１４とフィルタ部２１１５を互いに隣接するように配置して吸口部２１１０Ｂを形成することもできる。
【００５７】
図６に示す実施形態において、喫煙物品２１１０の長手方向の長さは、４０ｍｍ〜９０ｍｍであることが好ましく、５０ｍｍ〜７５ｍｍであることがより好ましく、５０ｍｍ〜６０ｍｍであることがさらに好ましい。喫煙物品２１１０の円周は１５ｍｍ〜２５ｍｍであることが好ましく、１７ｍｍ〜２４ｍｍ以下であることがより好ましく、２０ｍｍ〜２２ｍｍであることがさらに好ましい。また、喫煙物品２１１０における基材部２１１０Ａの長さは２０ｍｍ、第１の巻紙２１１２の長さは２０ｍｍ、中空セグメント部２１１６の長さは８ｍｍ、フィルタ部２１１５の長さは７ｍｍであってもよい。これら個々のセグメントの長さは、製造適性、要求品質等に応じて、適宜変更できる。
【００５８】
本実施形態において、喫煙物品２１１０の充填物２１１１は、所定温度で加熱されてエアロゾルを発生するエアロゾル源を含有し得る。エアロゾル源の種類は、特に限定されず、用途に応じて種々の天然物からの抽出物質及び／又はそれらの構成成分を選択することができる。エアロゾル源として、例えば、グリセリン、プロピレングリコール、トリアセチン、１、３−ブタンジオール、及びこれらの混合物を挙げることができる。充填物２１１１中のエアロゾル源の含有量は、特に限定されず、十分にエアロゾルを発生するとともに、良好な香喫味の付与の観点から、通常５重量％以上であり、好ましくは１０重量％以上であり、また、通常５０重量％以下であり、好ましくは２０重量％以下である。
【００５９】
本実施形態における喫煙物品２１１０の充填物２１１１は、香味源としてたばこ刻みを含有し得る。たばこ刻みの材料は特に限定されず、ラミナや中骨等の公知の材料を用いることができる。喫煙物品２１１０における充填物２１１１の含有量の範囲は、円周２２ｍｍ、長さ２０ｍｍの場合、例えば、２００ｍｇ〜４００ｍｇであり、２５０ｍｇ〜３２０ｍｇであることが好ましい。充填物２１１１の水分含有量は、例えば、８〜１８重量％であり、１０〜１６重量％であることが好ましい。このような水分含有量であると、巻染みの発生を抑制し、基材部２１１０Ａの製造時の巻上適性を良好にする。充填物２１１１として用いるたばこ刻みの大きさやその調製法については特に制限はない。例えば、乾燥したたばこ葉を、幅０．８ｍｍ〜１．２ｍｍに刻んだものを用いてもよい。また、乾燥したたばこ葉を平均粒径が２０μｍ〜２００μｍ程度になるように粉砕して均一化したものをシート加工し、それを幅０．８ｍｍ〜１．２ｍｍに刻んだものを用いてもよい。さらに、上記のシート加工したものについて刻まずにギャザー加工したものを充填物２１１１として用いてもよい。また、充填物２１１１は、１種又は２種以上の香料を含んでいてもよい。当該香料の種類は特に限定されないが、良好な喫味の付与の観点から、好ましくはメンソールである。
【００６０】
本実施形態において、喫煙物品２１１０の第１の巻紙２１１２及び第２の巻紙２１１３は、坪量が例えば２０ｇｓｍ〜６５ｇｓｍであり、好ましくは２５ｇｓｍ〜４５ｇｓｍである原紙から作られることができる。第１の巻紙２１１２及び第２の巻紙２１１３の厚みは、特に限定されないが、剛性、通気性、及び製紙時の調整の容易性の観点から、１０μｍ〜１００μｍであり、好ましくは２０μｍ〜７５μｍであり、より好ましくは３０μｍ〜５０μｍである。
【００６１】
本実施形態において、喫煙物品２１１０の第１の巻紙２１１２及び第２の巻紙２１１３には填料が含まれ得る。填料の含有量は、第１の巻紙２１１２及び第２の巻紙２１１３の全重量に対して１０重量％以上６０重量％未満を挙げることができ、１５重量％〜４５重量％であることが好ましい。本実施形態において、好ましい坪量の範囲（２５ｇｓｍ〜４５ｇｓｍ）に対して、填料が１５重量％〜４５重量％であることが好ましい。填料としては、例えば、炭酸カルシウム、二酸化チタン、カオリン等を使用することができる。このような填料を含む紙は、喫煙物品２１１０の巻紙として利用する外観上の観点から好ましい白色系の明るい色を呈し、恒久的に白さを保つことができる。そのような填料を多く含有させることで、例えば、巻紙のＩＳＯ白色度を８３％以上にすることができる。また、喫煙物品２１１０の巻紙として利用する実用上の観点から、第１の巻紙２１１２及び第２の巻紙２１１３は８Ｎ／１５ｍｍ以上の引張強度を有することが好ましい。この引張強度は、填料の含有量を少なくすることで高めることができる。具体的には、上記で例示した各坪量の範囲において示した填料の含有量の上限よりも填料の含有量を少なくすることで、高めることができる。
【００６２】
次に、図４及び図５に示したエアロゾル生成装置２の内部構造について説明する。図７は、図４に示した矢視２００−２００における断面図である。図７に示すように、エアロゾル生成装置２は、ハウジング２１１の内部空間に、電源部２２０と、回路部２３０と、加熱部２４０とを有する。回路部２３０は、第１回路基板２３１と、第１回路基板２３１と電気的に接続された第２回路基板２３２とを有してもよい。第１回路基板２３１は、例えば、図示のように長手方向に延びて配置されてもよい。これにより、電源部２２０と加熱部２４０は、第１回路基板２３１によって区画される。その結果、加熱部２４０において発生する熱が電源部２２０に伝達することが抑制される。
【００６３】
第２回路基板２３２は、トップハウジング２１１Ａと電源部２２０との間に配置されてもよく、第１回路基板２３１の延在方向と直交する方向に延びてもよい。スイッチ２１３は、第２回路基板２３２と隣接して配置されてもよい。使用者がスイッチ２１３を押下したとき、スイッチ２１３の一部が、第２回路基板２３２と接触し得る。
【００６４】
第１回路基板２３１及び第２回路基板２３２は、例えばマイクロプロセッサ等を含み、電源部２２０から加熱部２４０への電力の供給を制御することができる。これにより、第１回路基板２３１及び第２回路基板２３２は、加熱部２４０による喫煙物品２１１０の加熱を制御することができる。
【００６５】
電源部２２０は、第１回路基板２３１及び第２回路基板２３２に電気的に接続される電源２２１を有する。電源２２１は、例えば、充電式バッテリー又は非充電式のバッテリーであり得る。電源２２１は、第１回路基板２３１及び第２回路基板２３２の少なくとも一方を介して、加熱部２４０と電気的に接続される。これにより、電源２２１は、喫煙物品２１１０を適切に加熱するように、加熱部２４０に電力を供給することができる。また、図示のように、電源２２１は、加熱部２４０の長手方向に直交する方向に隣接して配置されてもよい。これにより、電源２２１の大きさを大きくしても、エアロゾル生成装置２の長手方向の長さが長くなることを抑制することができる。
【００６６】
また、エアロゾル生成装置２は、外部電源と接続可能な端子２２２を有してもよい。端子２２２は、例えばマイクロＵＳＢ等のケーブルと接続することができる。電源２２１が充電式バッテリーである場合、端子２２２に外部電源を接続することにより、外部電源から電源２２１に電流を流し、電源２２１を充電することができる。また、端子２２２にマイクロＵＳＢ等のデータ送信ケーブルを接続することにより、エアロゾル生成装置２の作動に関連するデータを外部装置に送信できるようにしてもよい。
【００６７】
加熱部２４０は、図示のように、長手方向に延びる加熱アセンブリ２４１を有する。加熱アセンブリ２４１は、複数の筒状の部材から構成され、全体として筒状体をなしている。加熱アセンブリ２４１は、その内部に喫煙物品２１１０の一部を収納可能に構成され、喫煙物品２１１０へ供給する空気の流路を画定する機能、及び喫煙物品２１１０を外周から加熱する機能を有する。
【００６８】
ボトムハウジング２１１Ｂには、加熱アセンブリ２４１の内部に空気を流入するための通気口２１５が形成される。具体的には、通気口２１５は、加熱アセンブリ２４１の一端部（図６における左側の端部）と流体連通する。また、エアロゾル生成装置２は、通気口２１５に着脱自在のキャップ２１６を有する。キャップ２１６は、通気口２１５に取り付けられた状態でも通気口２１５から加熱アセンブリ２４１の内部に空気が流入できるように構成され、例えば図示しない貫通孔又は切欠き等を有し得る。キャップ２１６を通気口２１５に取り付けることで、加熱アセンブリ２４１内に挿入された喫煙物品２１１０から発生する物質が、通気口２１５からハウジング２１１の外部に落下することを抑制することができる。また、キャップ２１６を取り外すことで、加熱アセンブリ２４１の内部又はキャップ２１６の内側をクリーニングすることもできる。
【００６９】
加熱アセンブリ２４１の他の一端部（図６における右側の端部）は、図５に示した開口２１２ａと流体連通する。開口２１２ａを有する蓋部２１４と加熱アセンブリ２４１の他の一端部との間には、略筒状のアウターフィン２１７が設けられる。喫煙物品２１１０は、図５に示すように蓋部２１４の開口２１２ａからエアロゾル生成装置２の内部に挿入されると、アウターフィン２１７を通過し、喫煙物品２１１０の一部が加熱アセンブリ２４１の内部に配置される。このため、アウターフィン２１７は、加熱アセンブリ２４１の他の一端部側の開口の大きさより、蓋部２１４側の開口の方が大きくなるように形成されることが好ましい。これにより、喫煙物品２１１０を開口２１２ａからアウターフィン２１７の内部に挿入し易くなる。
【００７０】
図５に示すように喫煙物品２１１０が開口２１２ａからエアロゾル生成装置２内に挿入された状態で、使用者が、喫煙物品２１１０のエアロゾル生成装置２から突出した部分、即ち図６に示したフィルタ部２１１５から吸引すると、通気口２１５から加熱アセンブリ２４１の内部に空気が流入する。流入した空気は、加熱アセンブリ２４１の内部を通過して、喫煙物品２１１０から生じるエアロゾルと共に、使用者の口内に到達する。したがって、加熱アセンブリ２４１の通気口２１５に近い側は上流側であり、加熱アセンブリ２４１の開口２１２ａに近い側（アウターフィン２１７に近い側）は下流側である。
【００７１】
図８は、本実施形態によるエアロゾル生成装置の概略機能構成を示すブロック図である。図示するように、エアロゾル生成装置２は、制御部２１と、記憶部２２と、通信部２３と、バッテリー２４とを含んで構成される。なお、図８の制御部２１と、記憶部２２と、通信部２３と、バッテリー２４の各々は、図２及び図３における制御部１０６と、メモリー１１４と、通信部１０８と、バッテリー１１０に対応する。
【００７２】
制御部２１は、エアロゾル生成装置２の全体を制御する。特に、制御部２１は、エアロゾル生成装置２の使用状況（他の装置との接続状況や、バッテリー装置の充電状況等）を検知・把握し、記憶部２２への情報の読み書きを行ったり、通信部２３を用いた情報の送受信を行ったりする。コンピューターとプログラムとを用いて制御部２１を実現するようにしてもよい。
【００７３】
制御部２１は、エアロゾル生成装置２の個体をユニークに識別するための装置ＩＤを、記憶部２２から読み出すことができる。制御部２１は、必要に応じて、エアロゾル生成装置２自身の装置ＩＤを、端末装置４や管理サーバー装置６に送信することができる。
【００７４】
記憶部２２は、エアロゾル生成装置２の制御のための情報を記憶するものである。記憶部２２は、少なくとも、エアロゾル生成装置２の個体をユニークに識別することのできる装置ＩＤを記憶する。記憶部２２は、例えば、半導体メモリーを用いて実現される。
【００７５】
通信部２３は、無線通信手段等による外部装置との通信を行う機能を有する。通信部２３は、例えば、近距離の、例えば数メートルから数百メートル程度までの無線通信を行う。なお、通信部３３の通信は、どのようなものであってのよく、無線通信であっても有線通信であってもよい。通信部２３は、エアロゾル生成装置２と、端末装置４や通信中継装置５との間の通信を実現する。これにより、エアロゾル生成装置２は、通信中継装置５およびインターネットを経由して、さらに管理サーバー装置６やＳＮＳ通信サーバー装置７との間での通信を行える。
【００７６】
バッテリー２４は、前述の霧化ユニット（不図示）だけではなく、制御部２１や記憶部２２や通信部２３にも必要な電力を供給する。
【００７７】
図９は、本実施形態による充電装置の概略機能構成を示すブロック図である。図示するように、充電装置３は、制御部３１と、記憶部３２と、通信部３３と、電力インターフェース部３６と、充電ポート部３７と、充電装置用バッテリー３８とを含んで構成される。
【００７８】
制御部３１は、充電装置３の全体を制御する。特に、制御部３１は、充電装置３の使用状況（他の装置との接続状況や、バッテリー２４の充電状況等）を検知・把握するとともに、記憶部３２への情報の読み書きを行ったり、通信部３３を用いた情報の送受信を行ったりする。コンピューターとプログラムとを用いて制御部３１を実現するようにしてもよい。
【００７９】
制御部３１は、充電装置３に接続されているバッテリー２４の充電状況を把握する。即ち、制御部３１は、接続されているバッテリー２４が充電中であるか否かを把握する。また、制御部３１は、クロック等を参照することにより、バッテリー２４の充電時間の長さを把握する。また、制御部３１は、充電装置３の充電状況を把握する。即ち、制御部３１は、充電装置３の充電装置用バッテリー３８が充電中であるか否かを把握する。また、制御部３１は、クロック等を参照することにより、充電装置用バッテリー３８の充電時間の長さを把握する。
【００８０】
制御部３１は、充電装置３の個体をユニークに識別するための装置ＩＤを、記憶部３２から読み出すことができる。制御部３１は、必要に応じて、充電装置３自身の装置ＩＤを、端末装置４や管理サーバー装置６に送信することができる。
【００８１】
記憶部３２は、充電装置３の制御のための情報を記憶するものである。記憶部３２は、少なくとも、充電装置３の個体をユニークに識別することのできる装置ＩＤを記憶する。記憶部３２は、例えば、半導体メモリーを用いて実現される。
【００８２】
通信部３３は、無線通信手段等による外部装置との通信を行う機能を有する。通信部３３は、例えば、近距離の、例えば数メートルから数百メートル程度までの無線通信を行う。なお、通信部３３の通信は、どのようなものであってのよく、無線通信であっても有線通信であってもよい。通信部３３は、充電装置３と、端末装置４や通信中継装置５との間の通信を実現する。これにより、充電装置３は、通信中継装置５およびインターネットを経由して、さらに管理サーバー装置６やＳＮＳ通信サーバー装置７との間での通信を行える。
【００８３】
電力インターフェース部３６は、外部の電力源（ＰＣや、電源アダプター等）とのインターフェース機能を有するものである。電力インターフェース部３６は、外部の電力源から供給される電力を、充電ポート部３７や充電装置用バッテリー３８に供給する。
【００８４】
充電ポート部３７は、エアロゾル生成装置２のバッテリー２４を接続可能であり、接続されたバッテリー２４を充電するためのインターフェースの役割を果たすポートである。充電ポート部３７には、バッテリー２４の充電用端子を接続した状態に、バッテリー２４を嵌め込むことができる形状を備える。充電ポート部３７は、電力インターフェース部３６と充電装置用バッテリー３８とのいずれからも電力の供給を受けることができる。電力インターフェース部３６が外部の電力源に接続されており、且つ充電装置用バッテリー３８に十分な電力が蓄積されていない場合には、充電ポート部３７は、電力インターフェース部３６から電力の供給を受ける。電力インターフェース部３６が外部の電力源に接続されておらず、且つ充電装置用バッテリー３８に十分な電力が蓄積されている場合には、充電ポート部３７は、充電装置用バッテリー３８から電力の供給を受ける。電力インターフェース部３６が外部の電力源に接続されており、且つ充電装置用バッテリー３８に十分な電力が蓄積されている場合には、充電ポート部３７は、電力インターフェース部３６あるいは充電装置用バッテリー３８のいずれか、または両方から適宜、電力の供給を受ける。
【００８５】
充電装置用バッテリー３８は、二次電池を備えるものであり、電力インターフェース部３６から供給される電力を蓄積することができる。充電装置用バッテリー３８は、充電ポート部３７に電力を供給することができる。また、充電装置用バッテリー３８は、制御部３１や記憶部３２や通信部３３にも電力を供給する。
【００８６】
図１０は、本実施形態による端末装置の概略機能構成を示すブロック図である。図示するように、端末装置４は、制御部４１と、記憶部４２と、通信部４３と、バッテリー部４８とを含んで構成される。制御部４１は、内部にアプリ実行部４１１を含む。
【００８７】
制御部４１は、端末装置４の全体を制御する。また、制御部４１は、記憶部４２の情報を読み書きしたり、通信部４３を用いた情報の送受信を行ったりする。なお、コンピューターとプログラムとを用いて制御部４１を実現するようにしてもよい。
【００８８】
制御部４１は、無線通信によりエアロゾル生成装置２や、充電装置３と互いに接続したことを把握する。例えば、制御部４１は、エアロゾル生成装置２や充電装置３との間のペアリングが行われたことを把握する。また、制御部４１は、クロック等を参照することにより、エアロゾル生成装置２や、充電装置３との間の無線通信接続の継続時間の長さを把握する。また、制御部４１は、エアロゾル生成装置２や、充電装置３から、エアロゾル生成装置２や充電装置３の使用状況等に関する情報（接続情報や充電情報）を受け取ってもよい。制御部４１は、エアロゾル生成装置２や充電装置３の使用状況に関する情報を、インターネット等を介して、管理サーバー装置６側に送信する。また、制御部４１は、管理サーバー装置６側から、インターネット等を介して、装置の使用状況等に応じて付与された報償の情報を受信する。制御部４１は、必要に応じて、付与された報償の情報を端末装置４の画面等に表示する。また、制御部４１が、エアロゾル生成装置２や充電装置３から受け取った使用状況等に関する情報を端末装置４の画面等に表示してもよい。
【００８９】
具体的には、制御部４１は、エアロゾル生成装置２や、充電装置３との無線接続（例えば、ペアリング）が行われたときの日時（年・月・日、時・分・秒）を把握する。また、制御部４１は、エアロゾル生成装置２や、充電装置３や、バッテリー２４との間の通信接続の継続の長さを把握する。これらの把握に基づき、制御部４１は、接続情報を管理サーバー装置６に送信することができる。
【００９０】
また、制御部４１は、バッテリー２４への充電時間の長さの情報を、エアロゾル生成装置２や、充電装置３から受け取る。エアロゾル生成装置２にバッテリー２４が格納された状態でそのバッテリー２４が充電されているときには、制御部４１は、充電装置３からだけではなく、エアロゾル生成装置２から、バッテリー２４への充電時間の長さの情報を受け取ることもできる。また、制御部４１は、充電装置３への充電の時間の長さの情報を、充電装置３から受け取ることもできる。これらの情報に基づき、制御部４１は、充電情報を管理サーバー装置６に送信することができる。
【００９１】
記憶部４２は、管理システム９１における処理の目的で端末装置４が記憶する必要のある情報を記憶する。記憶部４２は、例えば、半導体メモリー等を利用して実現される。記憶部４２が記憶する情報は、次に挙げるものを含む。即ち、記憶部４２は、端末装置４のユーザーが管理サーバー装置６にサインインするために必要な認証情報、エアロゾル生成装置２との間での接続履歴の情報、充電装置３との間での接続履歴の情報、バッテリー２４の充電情報、接続情報および充電情報を管理サーバー装置６に送信するために成形した情報、接続情報や充電情報に基づいて付与された報償に関する情報を、少なくとも記憶する。
【００９２】
通信部４３は、無線通信手段等による外部装置との通信を行う機能を有する。通信部４３は、例えば、セルフォンによる無線通信を行ったり、近距離の例えば数メートルから数百メートル程度までの無線通信を行ったりする。通信部４３は、端末装置４と、エアロゾル生成装置２や充電装置３、通信中継装置５との間の通信を実現する。通信中継装置５は、セルフォンの基地局装置であってもよい。通信中継装置５を経由することにより、またさらにインターネットを経由することにより、端末装置４は、管理サーバー装置６やＳＮＳ通信サーバー装置７との間での通信も行える。
【００９３】
バッテリー部４８は、二次電池を含むものであり、制御部４１や記憶部４２や通信部４３に電力を供給する。また、バッテリー部４８は、ケーブル等を介して、蓄積された電力を充電装置３等に供給することもできる。
【００９４】
アプリ実行部４１１は、制御部４１の機能のうち、アプリ（アプリケーションプログラム）として実現される機能を実行するものである。アプリ実行部４１１は、アプリの実行のために必要な計算資源（ＣＰＵ時間やメモリー等）を管理したり、アプリがインタープリター方式で実行される場合にはアプリが含むコードを逐次実行させたりする。
【００９５】
図１１は、本実施形態による管理サーバー装置の概略機能構成を示すブロック図である。図示するように、管理サーバー装置６は、制御部６１と、管理データ記憶部６２と、通信部６３とを含んで構成される。
【００９６】
制御部６１は、管理サーバー６全体を制御する。また、制御部６１は、インターネット等を介して、エアロゾル生成装置２や、充電装置３や、端末装置４等から、エアロゾル生成装置２や充電装置３の使用状況等に関する情報を受信する。制御部６１は、ＳＮＳ通信サーバー装置７を経由してこれらの情報を受信する場合がある。即ち、この場合、制御部６１は、ＳＮＳ通信サーバー装置７が実現するＳＮＳの１ユーザーとして、これらの情報を受信する。制御部６１は、受信した情報を管理する。制御部６１は、必要に応じて、エアロゾル生成装置２や充電装置３の使用状況等に関する情報を、ユーザーアカウントに関連付けて管理する。制御部６１は、これらの各装置の使用状況等に関する情報を、管理データ記憶部６２に書き込んで管理する場合がある。また、制御部６１は、これらの各装置の使用状況に関する情報に基づいて、ユーザーアカウントに報償を付与することができる。制御部６１は、付与した報償に関する情報を、インターネット等を経由して端末装置４に送信することができる。
【００９７】
管理サーバー装置６の制御部６１が受信する、エアロゾル生成装置２や充電装置３の使用状況等に関する情報は次の通りである。使用状況等に関する情報は、接続情報と、充電情報とを含む。
【００９８】
接続情報の第１は、無線接続（例えば、ペアリング）の情報である。無線接続（例えば、ペアリング）の情報は、所定のユーザーＩＤの下で稼働する端末装置４が、エアロゾル生成装置２や充電装置３といった各装置の個体と、近距離無線通信等を用いて無線接続（例えば、ペアリング）したことを表す。エアロゾル生成装置２やバッテリー２４や充電装置３といった各装置の個体は、固有の装置ＩＤを有する。無線接続（例えば、ペアリング）の情報は、無線接続（例えば、ペアリング）を行った日時と、端末装置４側のユーザーＩＤと、無線接続対象（例えば、ペアリング対象）の装置（エアロゾル生成装置２、または充電装置３）の装置ＩＤとを少なくとも関連付けた１組の情報である。無線接続（例えば、ペアリング）を行った日時は、日付（年・月・日）と時刻（時・分・秒）で表される。端末装置４と、無線接続対象（例えば、ペアリング対象）の装置との間の無線接続（例えば、ペアリング）の情報は、端末装置４から、あるいは無線接続対象（例えば、ペアリング対象）の装置（エアロゾル生成装置２、または充電装置３）から、管理サーバー装置６の制御部６１に伝えられる。制御部６１は、このペアリングの情報に基づいて、ユーザーＩＤと装置ＩＤとの紐づけを把握する。制御部６１は、このユーザーＩＤと装置ＩＤとの紐づけの情報を、管理データ記憶部６２内の装置情報記憶部６２３（後述）に書き込む。また、制御部６１は、この無線接続（例えば、ペアリング）の情報に基づいて、当該ユーザーＩＤに付与する報償を算出する。例えば、１回の無線接続（例えば、ペアリング）ごとに、予め定められた固定のポイント数（マイル数あるいはスタンプ数等でも良い。以下においても同様。）を当該ユーザーＩＤに付与する。制御部６１は、付与する報償の情報を、管理データ記憶部６２内の報償付与・消費情報記憶部６２２（後述）に書き込む。
【００９９】
なお、制御部６１は、所定の閾値以上の時間の長さに渡って接続が継続していた場合にのみ、１回の無線接続（例えば、ペアリング）ごとに、固定のポイント数をユーザーＩＤに対して付与するようにしてもよい。ここでの時間の長さの閾値は、適宜定められる。これにより、短時間の接続と切断が繰り返された場合にポイント数を付与しすぎることを防ぐことができる。
【０１００】
接続情報の第２は、接続時間の長さの情報である。接続時間の長さの情報は、所定のユーザーＩＤの下で稼働する端末装置４が、エアロゾル生成装置２や充電装置３といった各装置の個体と、近距離無線通信等を用いて接続していた時間の長さを表す。接続時間の長さの情報は、接続を開始した日時（即ち、無線接続（例えば、ペアリング）を行った日時）と、接続時間（例えば、時・分・秒で表される時間の長さ）と、端末装置４側のユーザーＩＤと、無線接続対象（例えば、ペアリング対象）の装置（エアロゾル生成装置２、または充電装置３）の装置ＩＤとを少なくとも関連付けた１組の情報である。ここで、接続時間の長さを表す情報の代わりに、接続を終了した日時の情報を用いてもよい。接続を終了した日時もまた、日付（年・月・日）と時刻（時・分・秒）で表される。端末装置４と、無線接続対象（ペアリング対象）の装置との間の接続時間の長さの情報は、端末装置４から、あるいは無線接続対象（例えば、ペアリング対象）の装置（エアロゾル生成装置２、または充電装置３）から、管理サーバー装置６の制御部６１に伝えられる。制御部６１は、この接続時間の長さの情報に基づいて、当該ユーザーＩＤに付与する報償を算出する。制御部６１は、例えば、接続時間の長さの単位（例えば、秒、あるいは分など）ごとに、予め定められたポイント数を当該ユーザーＩＤに付与する。即ち、制御部６１は、接続時間の長さに比例する（あるいはほぼ比例する）ポイント数を、ユーザーＩＤに付与する。制御部６１は、付与する報償の情報を、管理データ記憶部６２内の報償付与・消費情報記憶部６２２（後述）に書き込む。
【０１０１】
充電情報の第１は、充電装置３を、バッテリー２４に、あるいはバッテリー２４を格納したエアロゾル生成装置２に接続して、バッテリー２４への充電を行っていた時間の長さの情報である。この第１の充電情報は、例えば、充電装置３の装置ＩＤと、充電装置３が接続されていたバッテリー２４またはエアロゾル生成装置２の装置ＩＤと、充電を開始した日時（年・月・日、および時・分・秒）と、充電時間の長さ（時・分・秒）とを含む。充電時間の長さとは、例えば、充電先であるバッテリー２４に蓄積されている電力量が継続的に増え続けた時間の長さである。ただし、充電装置３が、バッテリー２４に、またはバッテリー２４を格納したエアロゾル生成装置２に接続されていた時間の長さを単純に充電時間の長さとしてもよい。なお、第１の充電情報は、エアロゾル生成装置２のバッテリー２４が、充電装置３以外によって（例えば外部電源などによって）充電されている場合における、バッテリー２４が充電されていた時間の長さ情報であってもよい。この場合において、第１の充電情報は、例えば、バッテリー２４またはエアロゾル生成装置２の装置ＩＤと、充電を開始した日時（年・月・日、および時・分・秒）と、充電時間の長さ（時・分・秒）とを含む。ただし、第１の充電情報は、外部電源がバッテリー２４に、またはバッテリー２４を格納したエアロゾル生成装置２に接続されていた時間の長さを単純に充電時間の長さとしてもよい。
【０１０２】
また、第１の充電情報に、ユーザーＩＤの情報を含むようにしてもよい。ユーザーＩＤの情報は、充電装置３やエアロゾル生成装置２が端末装置４に接続したときに取得可能である。また、第１の充電情報にユーザーＩＤの情報が含まれる場合には、装置ＩＤの情報を省略してもよい。第１の充電情報は、端末装置４から、あるいは装置（エアロゾル生成装置２、または充電装置３）から、管理サーバー装置６の制御部６１に伝えられる。制御部６１は、この充電時間の長さの情報に基づいて、当該ユーザーＩＤに付与する報償を算出する。制御部６１は、例えば、充電時間の長さの単位（例えば、秒、あるいは分など）ごとに、予め定められたポイント数を当該ユーザーＩＤに付与する。即ち、制御部６１は、充電時間の長さに比例する（あるいはほぼ比例する）ポイント数を、ユーザーＩＤに付与する。制御部６１は、付与する報償の情報を、管理データ記憶部６２内の報償付与・消費情報記憶部６２２（後述）に書き込む。
【０１０３】
充電情報の第２は、充電装置３を、外部の電力源に接続して、充電装置３自体の充電を行っていた時間の長さの情報である。この第２の充電情報は、少なくとも、充電装置３の装置ＩＤと、充電を開始した日時（年・月・日、および時・分・秒）と、充電時間の長さ（時・分・秒）とを含む。充電時間の長さの定義については、第１の充電情報に関して説明したものと同様である。即ち、充電時間の長さは、例えば、充電装置３の充電装置用バッテリー３８に蓄積されている電力量が継続的に増え続けた時間の長さである。ただし、充電装置３が、外部の電力源に接続されていた時間の長さを単純に充電時間の長さとしてもよい。
【０１０４】
また、第２の充電情報に、ユーザーＩＤの情報を含むようにしてもよい。ユーザーＩＤの情報は、充電装置３が端末装置４に接続したときに取得可能である。また、第２の充電情報にユーザーＩＤの情報が含まれる場合には、充電装置３の装置ＩＤの情報を省略してもよい。第２の充電情報は、端末装置４から、あるいは充電装置３から、管理サーバー装置６の制御部６１に伝えられる。制御部６１は、この充電時間の長さの情報に基づいて、当該ユーザーＩＤに付与する報償を算出する。制御部６１は、例えば、充電時間の長さの単位ごとに、予め定められたポイント数を当該ユーザーＩＤに付与する。即ち、制御部６１は、充電時間の長さに比例する（あるいはほぼ比例する）ポイント数を、ユーザーＩＤに付与する。制御部６１は、付与する報償の情報を、管理データ記憶部６２内の報償付与・消費情報記憶部６２２（後述）に書き込む。
【０１０５】
つまり、第１の充電情報は、バッテリー２４が充電装置３によって充電されていた時間の長さを表す情報を含む。ただし、充電されていた時間の長さの代わりに、バッテリー２４が充電装置３に接続されていた時間の長さを表す情報を、第１の充電情報が含むようにしてもよい。なお、第１の充電情報は、エアロゾル生成装置２のバッテリー２４が、充電装置３以外によって（例えば外部電源などによって）充電されている場合における、バッテリー２４が充電されていた時間の長さ情報であってもよい。ただし、第１の充電情報は、外部電源がバッテリー２４に、またはバッテリー２４を格納したエアロゾル生成装置２に接続されていた時間の長さを単純に充電時間の長さとしてもよい。また、第２の充電情報は、充電装置３が外部の電力源によって充電されていた時間の長さを表す情報を含む。ただし、充電されていた時間の長さの代わりに、充電装置３が外部の電力源に接続されていた時間の長さを表す情報を、第２の充電情報が含むようにしてもよい。
【０１０６】
制御部６１は、第１の接続情報、第２の接続情報、第１の充電情報、第２の充電情報のそれぞれに基づいて付与した報償の情報を、端末装置４に対して送信する機能を持つ。
【０１０７】
管理データ記憶部６２は、管理システム９１において管理する情報を記憶するものである。管理データ記憶部６２は、例えば、磁気ハードディスク装置や、半導体メモリー装置を用いて実現される。管理データ記憶部６２が記憶する具体的な情報の構成については、別の図を参照しながら後で説明する。
【０１０８】
通信部６３は、管理サーバー装置６が外部の装置と行う通信を実現する。通信部６３は、インターネット等を経由して、エアロゾル生成装置２や、充電装置３や、端末装置４との間でデータの送受信を行う。
【０１０９】
図１２は、本実施形態によるＳＮＳ通信サーバー装置の概略機能構成を示すブロック図である。図示するように、ＳＮＳ通信サーバー装置７は、メッセージ交換制御部７１と、通信部７３と、を含んで構成される。
【０１１０】
メッセージ交換制御部７１は、ＳＮＳのユーザー間でのメッセージの交換を制御する。具体的には、あるユーザーの端末装置から受信したメッセージを、宛先のユーザーの端末装置に向けて送信する。また、ユーザーグループで共有されるべきメッセージを、当該ユーザーグループに属するユーザーの端末装置に向けて送信する。なお、本実施形態における管理サーバー装置６は、このＳＮＳにおけるユーザーの端末装置であり得る。
【０１１１】
通信部７３は、ＳＮＳのユーザーの端末装置から送信されるメッセージを受信する。また、通信部７３は、ＳＮＳのユーザーの端末装置に対して、メッセージを送信する。
【０１１２】
図１３は、本実施形態による管理データ記憶部の概略機能構成を示すブロック図である。図示するように、管理データ記憶部６２は、ユーザー属性情報記憶部６２１と、報償付与・消費情報記憶部６２２と、装置情報記憶部６２３と、を含んで構成される。
【０１１３】
ユーザー属性情報記憶部６２１は、管理システム９１のユーザーの属性情報を記憶する。ユーザーの属性情報は、ユーザーの氏名、生年月日、ニックネーム、住所、メールアドレスなどといった情報を含む。ユーザーの属性情報は、ユーザー登録時あるいはユーザー属性情報更新時に、設定・更新される。
【０１１４】
報償付与・消費情報記憶部６２２は、ユーザーＩＤごとに、付与される報償の情報および消費される報償の情報を記憶する。付与される報償の情報は、付与された日時の情報、および付与されたポイント数（既に述べた通り、マイル数やスタンプ数等であってもよい）を含む。付与される報償の情報が、付与された理由の詳細を表す情報を含んでいてもよい。また、消費される報償の情報は、ユーザーが報償を消費した日時の情報、および消費されたポイント数を含む。消費される報償の情報が、消費された理由あるいは状況の詳細を表す情報を含んでいてもよい。
【０１１５】
報償付与・消費情報記憶部６２２は、上記の通り、ユーザーに報償を付与した履歴、およびユーザーが報償を消費した履歴を記憶する。さらに、報償付与・消費情報記憶部６２２が、現時点での報償の残高の情報や、過去の所定の時点（前月末、過去の各月の末、直近の期末（quarter end）、直近の年末等）における報償の残高の情報を記憶するようにしてもよい。
【０１１６】
装置情報記憶部６２３は、充電装置３や、エアロゾル生成装置２といった装置の個体に関する情報を記憶する。具体的には、装置情報記憶部６２３は、装置の個体ごとに、装置ＩＤと、当該装置にユーザーが紐づけられている場合にはそのユーザーのユーザーＩＤとを記憶する。また、装置情報記憶部６２３は、装置の個体ごとに、装置種別（充電装置３、エアロゾル生成装置２等）を表す情報や、装置の製造業者名や型番を表す情報を記憶するようにしてもよい。このような装置情報記憶部６２３により、装置ＩＤとユーザーＩＤとを関連付けて把握することが可能となる。
【０１１７】
ここで、管理システム９１内における、情報の所在および情報の管理の形態のいくつかのバリエーションについて説明する。
【０１１８】
エアロゾル生成装置２や充電装置３やは、装置の使用状況等の情報を、端末装置４に送信する場合と、管理サーバー装置６に直接送信する場合とがある。
【０１１９】
エアロゾル生成装置２や充電装置３が、装置の使用状況等の情報を、端末装置４を経由せずに管理サーバー装置６側に直接送信する場合には、例えばＨＴＴＰ（ハイパーテキスト転送プロトコル）を用いて使用状況等の情報を送信したり、例えばＳＮＳ通信サーバー装置７のサービスが提供する所定のプロトコルで使用状況等の情報をＳＮＳ通信サーバー装置７経由で送信したりする。
【０１２０】
エアロゾル生成装置２や充電装置３が装置の使用状況等の情報を端末装置４に送信する場合において、端末装置４が、それらの使用状況等の情報を一旦蓄積して管理する場合と、それらの使用状況等の情報をスルーして管理サーバー装置６側に送信する場合とがある。端末装置４が、それらの使用状況等の情報を一旦蓄積して管理する場合には、端末装置４上で、管理システム９１に専用のアプリを実行させるようにする。端末装置４が、それらの使用状況等の情報を一旦蓄積せずに直接、管理サーバー装置６側に送信する場合には、端末装置４上で稼働するブラウザーが有するＨＴＴＰクライアントの機能を利用して、それらの使用状況等の情報を管理サーバー装置６側に直接送信したり、ＳＮＳ専用のアプリが持つ通信の機能を利用して、それらの使用状況等の情報をＳＮＳ通信サーバー装置７経由で管理サーバー装置６に送信したりする。
【０１２１】
管理サーバー装置６側から送信される情報（例えば、ユーザーのアカウントに関する情報や、付与された報償に関する情報）は、端末装置４側で表示されたり、保存されたりする。具体的には、管理サーバー装置６側から送信される情報が、端末装置４上で稼働するブラウザーで表示されたり、端末装置４上で稼働する管理システム９１に専用のアプリで表示されたりする。また、管理サーバー装置６側から送信される情報は、端末装置４上で稼働するブラウザーのクッキーとして保存することができる。また、管理サーバー装置６側から送信される情報は、端末装置４上で稼働する上記専用アプリ内の管理領域に保存することができる。
【０１２２】
図１４は、本実施形態による管理システム９１内での装置の動作および情報のやり取りの手順の一例を示すシーケンスチャートである。同図は、端末装置４が、接続情報（前述の、第１の接続情報、および第２の接続情報）を管理サーバー装置６に送信する場合の手順を示す。同図に示す端末装置４の機能は、端末装置４上で稼働する専用アプリまたは汎用ウェブブラウザーの機能を用いて実現される。以下、このシーケンスに沿って説明する。
【０１２３】
ステップＳ１において、端末装置４は、装置間の接続状況に関する情報を収集する。この情報は「接続情報」とも呼ばれる。具体的には、接続情報は、端末装置４と、エアロゾル生成装置２や充電装置３との間の通信接続に関する情報である。接続情報は、両装置間での接続を開始した（例えば、ペアリングした）ことを表す情報や、両装置間での接続の時間の長さを表す情報である。具体的には、接続情報は、
【０１２４】
ステップＳ２において、端末装置４は、ステップＳ１で取得した接続情報と、ユーザーを一意に識別するためのユーザーＩＤとを、管理サーバー装置６側に送信する。ユーザーＩＤは、エアロゾル生成装置２や充電装置３といった装置を所有し管理するユーザーのＩＤである。端末装置４は、例えばアプリへのサインインの手続の際、あるいは端末装置４の画面から入力された際などにユーザーＩＤを取得する。
【０１２５】
ステップＳ３において、ステップＳ２で送信された接続情報およびユーザーＩＤが、管理サーバー装置６側に伝送される。接続情報およびユーザーＩＤは、インターネット等を介して伝送される。さらに、接続情報およびユーザーＩＤは、通信中継装置５および／またはＳＮＳ通信サーバー装置７を介して伝送されてもよい。
【０１２６】
ステップＳ４において、管理サーバー装置６は、端末装置４側から送信された接続情報およびユーザーＩＤを受信する。
【０１２７】
ステップＳ５において、管理サーバー装置６は、ステップＳ４で受信した接続情報に基づいて、当該ユーザーＩＤに付与する報償を算出する。管理サーバー装置６は、算出された報償の情報を報償付与・消費情報記憶部６２２に書き込む。
【０１２８】
ステップＳ６において、管理サーバー装置６は、算出された報償の情報（報償情報）を端末装置４側に通知する。
【０１２９】
ステップＳ７において、管理サーバー装置６から送信された報償情報が、端末装置４側に伝達される。報償情報は、インターネット等を介して伝送される。
【０１３０】
ステップＳ８において、端末装置４は、管理サーバー装置６から送信された報償情報を受信する。
【０１３１】
ステップＳ９において、端末装置４は、ステップＳ８で受信した報償情報を画面に表示する。
【０１３２】
図１５は、本実施形態による管理システム９１内での装置の動作および情報のやり取りの手順の一例を示すシーケンスチャートである。同図は、端末装置４が、充電情報（前述の、第１の充電情報、および第２の充電情報）を管理サーバー装置６に送信する場合の手順を示す。同図に示す端末装置４の機能も、図１４の場合と同様に、稼働する専用アプリまたは汎用ウェブブラウザーの機能を用いて実現される。以下、このシーケンスに沿って説明する。
【０１３３】
ステップＳ２１において、端末装置４は、エアロゾル生成装置２、または充電装置３の充電状況に関する情報（充電情報）を取得する。具体的には、充電情報は、充電装置３によってバッテリー２４が充電されていた時間の長さの情報や、外部電源によって充電装置３が充電されていた時間の長さの情報である。なお、充電情報は、エアロゾル生成装置２のバッテリー２４が、充電装置３以外によって（例えば外部電源などによって）充電されている場合における、バッテリー２４が充電されていた時間の長さ情報であってもよい。
【０１３４】
ステップＳ２２において、端末装置４は、ステップＳ２１で取得した充電情報と、ユーザーＩＤとを、管理サーバー装置６側に送信する。ユーザーＩＤについては、既に説明した通りである。
【０１３５】
ステップＳ２３において、ステップＳ２２で送信された充電情報およびユーザーＩＤが、管理サーバー装置６側に伝送される。充電情報およびユーザーＩＤは、インターネット等を介して伝送される。さらに、充電情報およびユーザーＩＤは、通信中継装置５および／またはＳＮＳ通信サーバー装置７を介して伝送されてもよい。
【０１３６】
ステップＳ２４において、管理サーバー装置６は、端末装置４側から送信された充電情報およびユーザーＩＤを受信する。
【０１３７】
ステップＳ２５において、管理サーバー装置６は、ステップＳ２４で受信した充電情報に基づいて、当該ユーザーＩＤに付与する報償を算出する。管理サーバー装置６は、算出された報償の情報を報償付与・消費情報記憶部６２２に書き込む。
【０１３８】
ステップＳ２６において、管理サーバー装置６は、算出された報償の情報（報償情報）を端末装置４側に通知する。
【０１３９】
ステップＳ２７において、管理サーバー装置６から送信された報償情報が、端末装置４側に伝達される。報償情報は、インターネット等を介して伝送される。
【０１４０】
ステップＳ２８において、端末装置４は、管理サーバー装置６から送信された報償情報を受信する。
【０１４１】
ステップＳ２９において、端末装置４は、ステップＳ８で受信した報償情報を画面に表示する。
【０１４２】
図１６は、本実施形態による管理システム９１内での装置の動作および情報のやり取りの手順の一例を示すシーケンスチャートである。同図は、充電装置３、またはエアロゾル生成装置２のいずれかが接続情報（第１の接続情報、第２の接続情報）を管理サーバー装置６に送信する場合の手順を示す。このシーケンスにおいては、接続情報は端末装置４を経由せずに管理サーバー装置６に送信される。ただし、管理サーバー装置６から送信される報償情報は端末装置４によって受信される。同図に示す端末装置４の機能は、端末装置４上で稼働する汎用ウェブブラウザーの機能を用いて実現される。以下、このシーケンスに沿って説明する。
【０１４３】
ステップＳ４１において、充電装置３、またはエアロゾル生成装置２のいずれかは、装置間の接続状況に関する情報（接続情報）を取得する。
【０１４４】
ステップＳ４２において、充電装置３、またはエアロゾル生成装置２のいずれかは、ステップＳ４１で取得した接続情報と、装置ＩＤとを、管理サーバー装置６側に送信する。装置ＩＤは、充電装置３やエアロゾル生成装置２といった装置の個体を一意に識別するための装置である。
【０１４５】
ステップＳ４３において、ステップＳ４２で送信された接続情報および装置ＩＤが、管理サーバー装置６側に伝送される。接続情報および装置ＩＤは、インターネット等を介して伝送される。さらに、接続情報および装置ＩＤは、通信中継装置５および／またはＳＮＳ通信サーバー装置７を介して伝送されてもよい。
【０１４６】
ステップＳ４４において、管理サーバー装置６は、装置側（充電装置３、またはエアロゾル生成装置２）から送信された接続情報および装置ＩＤを受信する。
【０１４７】
ステップＳ４５において、管理サーバー装置６の制御部６１は、管理データ記憶部６２内の装置情報記憶部６２３を参照することにより、ステップＳ４４で受信した装置ＩＤに関連付けられたユーザーＩＤを特定する。そして、管理サーバー装置６の制御部６１は、ステップＳ４４で受信した接続情報に基づいて、特定された当該ユーザーＩＤに付与する報償を算出する。管理サーバー装置６の制御部６１は、算出された報償の情報を報償付与・消費情報記憶部６２２に書き込む。
【０１４８】
ステップＳ４６以後の処理は、ステップＳ４５において特定されたユーザーが、例えば端末装置４のウェブブラウザーから当該ユーザー特有の情報を照会した際に実行される。このとき、そのユーザーは適宜、管理サーバー装置６へのサインインの手続を実行する。ステップＳ４６において、管理サーバー装置６は、ステップＳ４５において算出された報償の情報（報償情報）を端末装置４側に通知する。
【０１４９】
ステップＳ４７において、管理サーバー装置６から送信された報償情報が、端末装置４側に伝達される。報償情報は、インターネット等を介して伝送される。
【０１５０】
ステップＳ４８において、端末装置４は、管理サーバー装置６から送信された報償情報を受信する。
【０１５１】
ステップＳ４９において、端末装置４は、ステップＳ４８で受信した報償情報を画面に表示する。
【０１５２】
図１６に示した手順によれば、充電装置３や、エアロゾル生成装置２は、端末装置４を経由せずに、接続情報を管理サーバー装置６に送信することができる。
【０１５３】
図１７は、本実施形態による管理システム９１内での装置の動作および情報のやり取りの手順の一例を示すシーケンスチャートである。同図は、充電装置３、またはエアロゾル生成装置２のいずれかが充電情報（第１の接続情報、第２の接続情報）を管理サーバー装置６に送信する場合の手順を示す。このシーケンスにおいては、接続情報は端末装置４を経由せずに管理サーバー装置６に送信される。ただし、管理サーバー装置６から送信される報償情報は端末装置４によって受信される。同図に示す端末装置４の機能は、端末装置４上で稼働する汎用ウェブブラウザーの機能を用いて実現される。以下、このシーケンスに沿って説明する。
【０１５４】
ステップＳ６１において、充電装置３、またはエアロゾル生成装置２のいずれかは、充電状況に関する情報（充電情報）を取得する。
【０１５５】
ステップＳ６２において、充電装置３またはエアロゾル生成装置２のいずれかは、ステップＳ６１で取得した接続情報と、装置ＩＤとを、管理サーバー装置６側に送信する。装置ＩＤは、充電装置３やエアロゾル生成装置２といった装置の個体を一意に識別するための装置である。
【０１５６】
ステップＳ６３において、ステップＳ６２で送信された充電情報および装置ＩＤが、管理サーバー装置６側に伝送される。充電情報および装置ＩＤは、インターネット等を介して伝送される。さらに、充電情報および装置ＩＤは、通信中継装置５および／またはＳＮＳ通信サーバー装置７を介して伝送されてもよい。
【０１５７】
ステップＳ６４において、管理サーバー装置６は、装置側（充電装置３、またはエアロゾル生成装置２）から送信された充電情報および装置ＩＤを受信する。
【０１５８】
ステップＳ６５において、管理サーバー装置６の制御部６１は、管理データ記憶部６２内の装置情報記憶部６２３を参照することにより、ステップＳ６４で受信した装置ＩＤに関連付けられたユーザーＩＤを特定する。そして、管理サーバー装置６の制御部６１は、ステップＳ６４で受信した充電情報に基づいて、特定された当該ユーザーＩＤに付与する報償を算出する。管理サーバー装置６の制御部６１は、算出された報償の情報を報償付与・消費情報記憶部６２２に書き込む。
【０１５９】
ステップＳ６６以後の処理は、ステップＳ６５において特定されたユーザーが、例えば端末装置４のウェブブラウザーから当該ユーザー特有の情報を照会した際に実行される。このとき、そのユーザーは適宜、管理サーバー装置６へのサインインの手続を実行する。ステップＳ６６において、管理サーバー装置６は、ステップＳ６５において算出された報償の情報（報償情報）を端末装置４側に通知する。
【０１６０】
ステップＳ４７において、管理サーバー装置６から送信された報償情報が、端末装置４側に伝達される。報償情報は、インターネット等を介して伝送される。
【０１６１】
ステップＳ４８において、端末装置４は、管理サーバー装置６から送信された報償情報を受信する。
【０１６２】
ステップＳ４９において、端末装置４は、ステップＳ４８で受信した報償情報を画面に表示する。
【０１６３】
図１７に示した手順によれば、充電装置３や、エアロゾル生成装置２は、端末装置４を経由せずに、充電情報を管理サーバー装置６に送信することができる。
【０１６４】
なお、装置間が、無線通信により、あるいはケーブルにより、「接続した」と判断する方法として、例えば、次のいずれかを用いることができる。（１）所定時間以上継続して接続した場合。（２）接続された装置間で何らかの情報（使用状況情報等）の送受信が行われた場合。（３）充電のための接続の場合において、充電対象である二次電池に蓄えられている電力量が単位時間内に所定量以上増加したと判断できる状況を検知した場合。
【０１６５】
管理サーバー装置６が使用状況情報を取得するタイミングとして、例えば、次のいずれかを用いることができる。（１）エアロゾル生成装置２や充電装置３や、端末装置４に記録していた使用状況情報を、所定の期間ごとに１回、一例として１日１回、管理サーバー装置６が受信する。（２）エアロゾル生成装置２や充電装置３や端末装置４が、通信を用いて管理サーバー装置６に接続する都度、各装置に貯めていた使用状況情報を、管理サーバー装置６が受信する。（３）管理サーバー装置６が、エアロゾル生成装置２や充電装置３、端末装置４に対してそれぞれ使用状況情報の送信を要求し、その要求に基づいて、各装置が使用状況情報を送信し、管理サーバー装置６がその使用状況情報を受信する。
【０１６６】
管理サーバー装置６が使用状況情報に基づいてユーザーＩＤに報償を付与するタイミングとして、例えば、次のいずれかを用いることができる。（１）管理サーバー装置６が使用状況情報を受信する都度、報償を付与する。（２）所定期間ごと、例えば、１日ごと、１週間ごと、あるいは１ヶ月ごとに１回、その期間に蓄積された使用状況情報に基づいて、管理サーバー装置６が報償を付与する。（３）使用状況情報に基づいて、所定の報償が達成されるごとに、つまり、例えば、無線通信の回数（例えば、ペアリング回数）が所定回数に達するごと、あるいは接続時間が所定の長さに達するごとなどに、管理サーバー装置６が報償を付与する。
【０１６７】
以上説明した第１実施形態によれば、使用状況情報に基づいて、ユーザーに報償を付与することができる。また管理サーバー装置６は、使用状況情報を取得できる。管理サーバー装置６は、使用状況情報に基づいて、ユーザーの端末装置４等に対して、アドバイス等の情報（例えば、装置のトータルな使用時間の情報、装置の使用時間に基づき装置の点検あるいは交換を促す情報、およびその他の情報）を送信することもできる。
【０１６８】
また、管理サーバー装置は、ユーザーに対する報償をインセンティブとして、それらの装置の使用状況の情報を取得できる。また、エアロゾル生成装置等の製造事業者や販売事業者等が、エアロゾル生成装置および関連する装置の、充電状況や他の装置との接続状況などといった使用状況を把握したいというニーズがある。製造事業者や販売事業者等がこれらの装置の使用状況を把握することができれば、その情報を、装置の使用状況に基づく企業活動に活用することができる。一例として、製造事業者や販売事業者等は、エアロゾル生成装置を使用するためのバッテリーの状況を把握することができる。また、製造事業者や販売事業者等は、エアロゾル生成装置や充電装置のユーザーに対して、その使用状況に応じた適切な案内情報を送るようにすることも可能となり得る。
【０１６９】
［第２実施形態］
次に、第２実施形態について説明する。なお、前実施形態において既に説明した事項については以下において説明を省略する場合がある。ここでは、本実施形態に特有の事項を中心に説明する。
【０１７０】
図１８は、本実施形態による管理システムの概略構成を示すブロック図である。図示するように、管理システム９２は、エアロゾル生成装置２と、充電装置３と、端末装置４と、通信中継装置５と、管理サーバー装置６と、ＳＮＳ通信サーバー装置７と、バッテリー装置２８とを含んで構成される。本実施形態における特徴は、管理システム９２が、バッテリー２４を、バッテリー装置２８として含む点である。このように、バッテリー２４（すなわち、バッテリー装置２８）は、エアロゾル生成装置２とは別個に管理システムに含まれていてもよい。なお、バッテリー装置２８は、エアロゾル生成装置２に格納可能に構成される。
【０１７１】
図１９は、本実施形態によるバッテリー装置の概略機能構成を示すブロック図である。図示するように、バッテリー装置２８は、制御部２８１と、記憶部２８２と、通信部２８３と、蓄電部２８５とを含んで構成される。
【０１７２】
制御部２８１は、バッテリー装置２８の全体を制御する。特に、制御部２８１は、は、バッテリー装置２８の使用状況（他の装置との接続状況や、バッテリー装置２８の充電状況等）を検知・把握し、記憶部２８２への情報の読み書きを行ったり、通信部２８３を用いた情報の送受信を行ったりする。コンピューターとプログラムとを用いて制御部２８１を実現するようにしてもよい。
【０１７３】
制御部２８１は、バッテリー装置２８の個体をユニークに識別するための装置ＩＤを、記憶部２８２から読み出すことができる。制御部２８１は、必要に応じて、バッテリー装置２８自身の装置ＩＤを、端末装置４や管理サーバー装置６に送信することができる。
【０１７４】
記憶部２８２は、バッテリー装置２８の制御のための情報を記憶するものである。記憶部２８２は、少なくとも、バッテリー装置２８の個体をユニークに識別することのできる装置ＩＤを記憶する。記憶部２８２は、例えば、半導体メモリーを用いて実現される。
【０１７５】
通信部２８３は、無線通信手段等による外部装置との通信を行う機能を有する。通信部２８３は、例えば、近距離の、例えば数メートルから数百メートル程度までの無線通信を行う。通信部２８３は、バッテリー装置２８と、端末装置４や通信中継装置５との間の通信を実現する。これにより、バッテリー装置２８は、通信中継装置５およびインターネットを経由して、さらに管理サーバー装置６やＳＮＳ通信サーバー装置７との間での通信を行える。
蓄電部２８５は、電力を蓄積するものである。充電装置３を用いて蓄電部２８５に電力を蓄積することができる。また、蓄電部２８５に蓄積された電力を、エアロゾル生成装置２に供給することができる。
【０１７６】
エアロゾル生成装置２や充電装置３の機能は、第１実施形態におけるそれらと同様のものである。
【０１７７】
このように、バッテリー装置２８が通信機能を有するため、本実施形態における端末装置４や管理サーバー装置６、ＳＮＳ通信サーバー装置７は、バッテリー装置２８から各種情報を直接受信したり処理したりすることができる。例えば、バッテリー装置２８は、通信機能を有し、端末装置４や管理サーバー装置６やＳＮＳ通信サーバー装置７に使用状況に関する情報や、使用（接続あるいは充電）等に関する情報を送信する。
【０１７８】
図２０は、本実施形態によるバッテリー装置の他の概略機能構成を示すブロック図である。バッテリー装置２９は、制御部２９１と、蓄電部２８５とを含んで構成される。本実施形態によるバッテリー装置２９は、図１９に例示するバッテリー装置２８と異なり、端末装置４や管理サーバー装置６等と直接通信する機能を持たない。このように、バッテリー装置２９が通信部等の機能を持たないことにより、バッテリー装置を低コスト化することができる。
【０１７９】
制御部２９１は、バッテリー装置２９の全体を制御する機能を持つ。
【０１８０】
蓄電部２８５は、電力を蓄積する。充電装置３を用いて蓄電部２８５に電力を蓄積することができる。また、蓄電部２８５に蓄積された電力を、エアロゾル生成装置２に供給することができる。
【０１８１】
本実施形態においては、バッテリー装置２９は、装置の個体を識別するためお装置ＩＤを記憶しない。バッテリー装置２９自身は、直接的には、端末装置４や管理サーバー装置６やＳＮＳ通信サーバー装置７とは通信しない。バッテリー装置２９が、エアロゾル生成装置２に格納された状態であれ、格納されていない状態であれ、充電装置３に接続されていることは、その充電装置３によって把握され得る。
【０１８２】
本実施形態における管理システム９２の処理・動作の手順は、第１実施形態において図１４から図１７までに示した手順とほぼ同様である。ただし、本実施形態では、バッテリー装置２８の装置ＩＤが、エアロゾル生成装置２や充電装置３の装置ＩＤの代わりに、または、それらと同時に用いられてもよい。
【０１８３】
以上説明した第２実施形態によれば、使用状況情報に基づいて、ユーザーに報償を付与することができる。また管理サーバー装置６は、使用状況情報を取得できる。
【０１８４】
［第１変形例］
管理サーバー装置６が、ユーザーに付与された報償（ポイント等）を消費するための処理を行ってもよい。この場合、管理サーバー装置６は、ユーザーの端末装置４と連携し、既に付与されている報償を用いて、ユーザーが、商品を購入したり、サービス等を利用したりするための処理を行う。報償が消費されると、適宜、管理サーバー装置６は、ユーザーＩＤに付与されている報償の残高を減らす。
【０１８５】
［第２変形例］
第１実施形態では、通信部２８３を備えたバッテリー２４を用いて、管理システム９１を構成している。第２実施形態では、通信部有さないバッテリー装置２９を用いて管理システム９２を構成している。第２変形例として、バッテリー２４とバッテリー装置２９とがユーザー間混在する状況で、管理システムを実現してもよい。
【０１８６】
［第３変形例］
第１実施形態および第２実施形態では、管理サーバー装置６側でユーザーＩＤに対して報償を付与していた。第３変形例では、代わりに、端末装置４が取得した使用状況情報（接続情報や充電情報）に基づいて、端末装置４が報償の量を算出し、当該ユーザーＩＤに対して報償を付与する。なお、この場合も、端末装置４は、使用状況情報を管理サーバー装置６に送信する。また、端末装置４は、付与した報償に関する情報を管理サーバー装置６に送信してもよい。管理サーバー装置６は、使用状況情報を取得できる。この変形例では、報償を付与する処理の負荷を多数の端末装置４に分散させることができる。
【０１８７】
以上説明した複数の実施形態およびそれらの変形例をまとめると、次の通りである。
【０１８８】
管理システム（９１、９２）は、エアロゾル生成装置（２）と、充電装置（３）と、端末装置（４）と、管理サーバー装置（６）とを含む。なお、充電装置（３）は、必ずしも管理システム（９１、９２）に含まれていなくてもよい。エアロゾル生成装置（２）は、エアロゾルを生成する。充電装置（３）は、前記エアロゾル生成装置（２）に電力を供給するバッテリー装置を充電するために、電力を供給する。端末装置（４）は、前記エアロゾル生成装置（２）および前記充電装置（３）のいずれかとの間で通信接続可能である。管理サーバー装置（６）は、前記エアロゾル生成装置（２）と前記充電装置（３）と前記端末装置（４）の少なくともいずれかから、前記エアロゾル生成装置（２）または前記充電装置（３）の使用状況を表す使用状況情報を受信するとともに、受信した前記使用状況情報に基づいて、前記端末装置（４）のユーザーに報償を付与する。
【０１８９】
使用状況情報は、前記端末装置（４）と、前記エアロゾル生成装置（２）および前記充電装置（３）の少なくともいずれかと、の間での通信接続の状況を表す接続情報を含むものである。この接続情報は、下記の第１の接続情報または第２の接続情報の少なくともいずれかを含む。第１の接続情報は、前記前記端末装置（４）と、前記エアロゾル生成装置（２）および前記充電装置（３）の少なくともいずれかとの間での、無線通信（例えば、ペアリング）が行われたことを表す。第２の接続情報は、前記前記端末装置（４）と、前記エアロゾル生成装置（２）および前記充電装置（２）の少なくともいずれかとの間での、前記通信接続の時間の長さを表す。
【０１９０】
使用状況情報は、前記バッテリー装置または前記充電装置を充電する時間の長さを表す充電情報を含むものである。この充電情報は、下記の第１の充電情報または第２の充電情報の少なくともいずれかを含む。第１の充電情報は、前記バッテリー装置（２８、２９）に前記充電装置（３）を接続することにより、または前記バッテリー装置（２８、２９）が格納された前記エアロゾル生成装置（２）に前記充電装置（３）または外部電源を接続することにより、バッテリー２４又はバッテリー装置（２８、２９）を充電した時間の長さを表す。第２の充電情報は、前記充電装置（３）に外部電力源を接続することにより前記充電装置（３）を充電した時間の長さを表す。
【０１９１】
管理システム（９１、９２）は、前記バッテリー装置（２８、２９）を含んでもよい。この場合、前記管理サーバー装置（６）は、前記バッテリー装置（２８）または前記端末装置（４）のいずれかから、前記バッテリー装置（２８、２９）の使用状況を表す前記使用状況情報を受信するとともに、受信した前記使用状況情報に基づいて、前記端末装置（４）のユーザーに報償を付与する。
【０１９２】
前記管理サーバー装置（６）は、前記ユーザーに付与した報償の情報を前記端末装置（４）に対して送信してもよい。管理サーバー装置（６）に代わって、端末装置（４）が、前記使用状況情報に基づいて、ユーザーに報償を付与するようにしてもよい。端末装置（４）は、付与された報償の情報を画面に表示してもよい。
【０１９３】
エアロゾル生成装置（２）や、充電装置（３）、バッテリー装置（２８）の各々は、情報を、端末装置（４）は管理サーバー装置（６）に送信することができる。エアロゾル生成装置（２）や、充電装置（３）や、バッテリー装置（２８）が端末装置（４）に送信した情報は、必要に応じて端末装置（４）によって加工されて、管理サーバー装置（６）に送信され得る。エアロゾル生成装置（２）や、充電装置（３）や、バッテリー装置（２８）は、端末装置（４）を経由することなく、直接、情報を管理サーバー装置（６）に送信することもできる。
【０１９４】
エアロゾル生成装置（２）や、充電装置（３）や、バッテリー装置（２８）や、端末装置（４）は、管理サーバー装置（６）に送信する情報を、ＳＮＳ通信サーバー装置（７）を経由して送ることもできる。また、ＳＮＳ通信サーバー装置（７）を経由せずに送ることもできる。
【産業上の利用可能性】
【０１９５】
上に述べた実施形態および変形例を、一例として、エアロゾル生成装置や充電装置に関連するサービスに適用することができる。ただし、利用範囲はここに例示したものに限定されない。
【符号の説明】
【０１９６】
２、２Ａ、２Ｂ    エアロゾル生成装置（香味吸引具）
３    充電装置
４    端末装置
５    通信中継装置
６    管理サーバー装置
７    ＳＮＳ通信サーバー装置
２１    制御部
２２    記憶部
２３    通信部
２４    バッテリー
２８、２９    バッテリー装置
３１    制御部
３２    記憶部
３３    通信部
３５    電源コード
３６    電力インターフェース部
３７    充電ポート部
３８    充電装置用バッテリー
４１    制御部
４２    記憶部
４３    通信部
４８    バッテリー部
６１    制御部
６２    管理データ記憶部
６２    管理データ記憶部
６３    通信部
７１    メッセージ交換制御部
７３    通信部
９１    管理システム
９２    管理システム
１０２  第１の部材
１０４  第２の部材
１０６  制御部
１０８  通信部
１１０  バッテリー
１１２  センサ
１１４  メモリー
１１６  リザーバ
１１８  霧化部
１２０  空気取込流路
１２１  エアロゾル流路
１２２  吸口部
１２６  第３の部材
１２８  香味源
２１１    ハウジング
２１１Ａ  トップハウジング
２１１Ｂ  ボトムハウジング
２１２    カバー
２１２ａ  開口
２１３    スイッチ
２１４    蓋部
２１５    通気口
２１６    キャップ
２１７    アウターフィン
２２０    電源部
２２１    電源
２２２    端子
２３０    回路部
２３１    第１回路基板
２３２    第２回路基板
２４０    加熱部
２４１    加熱アセンブリ
２８１    制御部
２８２    記憶部
２８３    通信部
２８５    蓄電部
２９１    制御部
４１１    アプリ実行部
６２１    ユーザー属性情報記憶部
６２２    報償付与・消費情報記憶部
６２３    装置情報記憶部
２１１０  喫煙物品
２１１０Ａ  基材部
２１１０Ｂ  吸口部
２１１１  充填物
２１１２  第１の巻紙
２１１３  第２の巻紙
２１１４  紙管部
２１１５  フィルタ部
２１１６  中空セグメント部
【図１】
2020183697.tif 000003
【図２】
2020183697.tif 000004
【図３】
2020183697.tif 000005
【図４】
2020183697.tif 000006
【図５】
2020183697.tif 000007
【図６】
2020183697.tif 000008
【図７】
2020183697.tif 000009
【図８】
2020183697.tif 000010
【図９】
2020183697.tif 000011
【図１０】
2020183697.tif 000012
【図１１】
2020183697.tif 000013
【図１２】
2020183697.tif 000014
【図１３】
2020183697.tif 000015
【図１４】
2020183697.tif 000016
【図１５】
2020183697.tif 000017
【図１６】
2020183697.tif 000018
【図１７】
2020183697.tif 000019
【図１８】
2020183697.tif 000020
【図１９】
2020183697.tif 000021
【図２０】
2020183697.tif 000022
【国際調査報告】
2020183697.tif 000023
2020183697.tif 000024
2020183697.tif 000025
2020183697.tif 000026